(57)【要約】【課題】  本発明は，複数のＭＺ構造を有する光変調器に対しても，ＭＺ構造の各々のバイアス点を所望の状態にする方法を提供する。【解決手段】  本発明は，あるサブＭＺの合波部以降に位相変調器を設置し，その位相変調器にディザリング信号を入力した状態で，そのサブＭＺに印加するバイアス電圧を調整することで，最適なバイアス状況を把握できるという知見に基づく。そして，光変調システムは，第１の位相変調器１０ａ，第２の位相変調器１１ａ，第３の位相変調器１０ｂ及び第４の位相変調器１１ｂの少なくとも１つにディザリング信号を印加するように電源系に指令を出すディザリング信号指示手段と，ディザリング信号を印加される位相変調器の前段に存在するサブマッハツェンダー導波路に印加するバイアス電圧を掃引するように電源系に指令を出すバイアス掃引指令手段とを有する。【選択図】図１
2011197638.tif 000002
【特許請求の範囲】
【請求項１】
第１の分岐部（１）と，
前記第１の分岐部（１）から分岐した第１の導波路（２）と，
前記第１の導波路（２）に設けられたマッハツェンダー干渉計を有する第１の変調器（３）と，
前記第１の分岐部（１）から分岐した，前記第１の導波路（２）とは別の導波路であって，前記第１の導波路（２）と合波点（４）で合わさる第２の導波路（５）と，
前記第２の導波路（５）に設けられたマッハツェンダー干渉計を有する第２の変調器（６）とを有する光変調システムであって，
前記第１の変調器（３）は，
第１のメインマッハツェンダー導波路（７ａ）と，
前記第１のメインマッハツェンダー導波路（７ａ）の一方のアームに設けられた第１のサブマッハツェンダー導波路（８ａ）と，
前記第１のメインマッハツェンダー導波路（７ａ）の残りのアームに設けられた第２のサブマッハツェンダー導波路（９ａ）と，
前記第１のサブマッハツェンダー導波路（８ａ）の合波部を経た光に位相変調を施すための第１の位相変調器（１０ａ）と，
前記第２のサブマッハツェンダー導波路（９ａ）の合波部を経た光に位相変調を施すための第２の位相変調器（１１ａ）と，
を具備し，
前記第２の変調器（６）は，
第２のメインマッハツェンダー導波路（７ｂ）と，
前記第２のメインマッハツェンダー導波路（７ｂ）の一方のアームに設けられた第３のサブマッハツェンダー導波路（８ｂ）と，
前記第２のメインマッハツェンダー導波路（７ｂ）の残りのアームに設けられた第４のサブマッハツェンダー導波路（９ｂ）と，
前記第３のサブマッハツェンダー導波路（８ｂ）の合波部を経た光に位相変調を施すための第３の位相変調器（１０ｂ）と，
前記第４のサブマッハツェンダー導波路（９ｂ）の合波部を経た光に位相変調を施すための第４の位相変調器（１１ｂ）と，
を具備し，
前記光変調システムは，
前記第１のサブマッハツェンダー導波路（８ａ），前記第２のサブマッハツェンダー導波路（９ａ），前記第３のサブマッハツェンダー導波路（８ｂ），前記第４のサブマッハツェンダー導波路（９ｂ），前記第１の位相変調器（１０ａ），前記第２の位相変調器（１１ａ），前記第３の位相変調器（１０ｂ），及び前記第４の位相変調器（１１ｂ）に印加する電圧を供給する電源系と，
前記電源系に制御信号を与えることで，前記電源系が出力する電圧を変化させる，コンピュータを有する制御部と，
前記合波点（４）からの出力を検出する検出部と，
を有し，
前記制御部は，
前記第１の位相変調器（１０ａ），前記第２の位相変調器（１１ａ），前記第３の位相変調器（１０ｂ）及び前記第４の位相変調器（１１ｂ）の少なくとも１つにディザリング信号を印加するように電源系に指令を出す，ディザリング信号指示手段と，
前記ディザリング信号を印加される位相変調器の前段に存在するサブマッハツェンダー導波路に印加するバイアス電圧を掃引するように電源系に指令を出す，バイアス掃引指令手段と，
前記検出部が検出した検出情報から，前記ディザリング信号に由来する成分を抽出する，ディザリング信号抽出部と，
前記ディザリング信号抽出部が抽出した，前記ディザリング信号に由来する成分の変動が所定の範囲内となるバイアス電圧値を求める，最適バイアス電圧値取得手段と，
を有し，
これにより，前記第１のサブマッハツェンダー導波路（８ａ），前記第２のサブマッハツェンダー導波路（９ａ），前記第３のサブマッハツェンダー導波路（８ｂ），及び前記第４のサブマッハツェンダー導波路（９ｂ）のいずれかに印加されるバイアス電圧の最適値を求めることができる，
光変調システム。
【請求項２】
前記第１の変調器（３）は，４相位相シフトキーイング（ＱＰＳＫ）信号を出力する第１のＱＰＳＫ変調器であり，
前記第２の変調器（６）は，前記第１のＱＰＳＫ変調器からの出力信号よりも振幅が小さなＱＰＳＫ信号を出力する第２のＱＰＳＫ変調器（６）である，
請求項１に記載の光変調システム。
【請求項３】
前記光変調システムは，
前記第１の分岐部（１）から分岐した複数の導波路であって，前記第１の導波路（２）及び前記第２の導波路（５）以外のものであり，前記第１の導波路（２）及び前記第２の導波路（５）と前記合波点（４）で合わさる導波路と，
前記複数の導波路に設けられたメインマッハツェンダー導波路と，前記メインマッハツェンダー導波路の一方のアームに設けられたサブマッハツェンダー導波路と，前記メインマッハツェンダー導波路の残りのアームに設けられたサブマッハツェンダー導波路と，前記一方のサブマッハツェンダー導波路の合波部を経た光に位相変調を施すための第５の位相変調器と，前記残りのサブマッハツェンダー導波路の合波部を経た光に位相変調を施すための第６の位相変調器と，
を有し，
前記電源系は，前記サブマッハツェンダー導波路のすべてに印加する電圧を供給するとともに，前記位相変調器のすべてに電圧を供給するものであり，
前記制御部のディザリング信号指示手段は，
前記第５の位相変調器及び第６の位相変調器の少なくとも１つにディザリング信号を印加するように電源系に指令を出す手段である
請求項１に記載の光変調システム。
【請求項４】
前記第１のメインマッハツェンダー導波路（７ａ）の一方のアームは，さらに（Ｍ−１）個のサブマッハツェンダー導波路を有し，
前記第１のメインマッハツェンダー導波路（７ａ）の残りのアームは，さらに（Ｍ-１）個のサブマッハツェンダー導波路を有し，
前記第２のメインマッハツェンダー導波路（７ｂ）の一方のアームは，さらに（Ｍ−１）個のサブマッハツェンダー導波路を有し，
前記第２のメインマッハツェンダー導波路（７ｂ）は，さらに（Ｍ−１）個のサブマッハツェンダー導波路を有し，
前記光変調システムは，前記第１の分岐部（１）と前記合波点（４）とに接続された，それぞれＭ個のサブマッハツェンダー導波路を有するＮ個の導波路を有する，
請求項１に記載の光変調システム。
【請求項５】
前記第１のメインマッハツェンダー導波路（７ａ）の一方のアームは，さらに（Ｍ−１）個のサブマッハツェンダー導波路を有し，
前記第１のメインマッハツェンダー導波路（７ａ）の残りのアームは，さらに（Ｍ-１）個のサブマッハツェンダー導波路を有し，
前記第２のメインマッハツェンダー導波路（７ｂ）の一方のアームは，さらに（Ｍ−１）個のサブマッハツェンダー導波路を有し，
前記第２のメインマッハツェンダー導波路（７ｂ）は，さらに（Ｍ−１）個のサブマッハツェンダー導波路を有し，
前記光変調システムは，前記第１の分岐部（１）と前記合波点（４）とに接続された，それぞれＭ個のサブマッハツェンダー導波路を有するＮ個の導波路を有し，
前記ディザリング信号指示手段は，
前記光変調システムに含まれる位相変調器の少なくとも１つにディザリング信号を印加するように前記電源系に指令を出すとともに，
２つ以上の位相変調器にディザリング信号を印加する場合は，異なる周波数のディザリング信号を印加するように前記電源系へ指令を出すものである，
請求項１に記載の光変調システム。
【請求項６】
第１の分岐部（１）と，
前記第１の分岐部（１）から分岐した第１の導波路（２）と，
前記第１の導波路（２）に設けられたマッハツェンダー干渉計を有する第１の変調器（３）と，
前記第１の分岐部（１）から分岐した，前記第１の導波路（２）とは別の導波路であって，前記第１の導波路（２）と合波点（４）で合わさる第２の導波路（５）と，
前記第２の導波路（５）に設けられたマッハツェンダー干渉計を有する第２の変調器（６）とを有する光変調システムのバイアス調整方法であって，
前記第１の変調器（３）は，
第１のメインマッハツェンダー導波路（７ａ）と，
前記第１のメインマッハツェンダー導波路（７ａ）の一方のアームに設けられた第１のサブマッハツェンダー導波路（８ａ）と，
前記第１のメインマッハツェンダー導波路（７ａ）の残りのアームに設けられた第２のサブマッハツェンダー導波路（９ａ）と，
前記第１のサブマッハツェンダー導波路（８ａ）の合波部を経た光に位相変調を施すための第１の位相変調器（１０ａ）と，
前記第２のサブマッハツェンダー導波路（９ａ）の合波部を経た光に位相変調を施すための第２の位相変調器（１１ａ）と，
を具備し，
前記第２の変調器（６）は，
第２のメインマッハツェンダー導波路（７ｂ）と，
前記第２のメインマッハツェンダー導波路（７ｂ）の一方のアームに設けられた第３のサブマッハツェンダー導波路（８ｂ）と，
前記第２のメインマッハツェンダー導波路（７ｂ）の残りのアームに設けられた第４のサブマッハツェンダー導波路（９ｂ）と，
前記第３のサブマッハツェンダー導波路（８ｂ）の合波部を経た光に位相変調を施すための第３の位相変調器（１０ｂ）と，
前記第４のサブマッハツェンダー導波路（９ｂ）の合波部を経た光に位相変調を施すための第４の位相変調器（１１ｂ）と，
を具備し，
前記光変調システムは，
前記第１のサブマッハツェンダー導波路（８ａ），前記第２のサブマッハツェンダー導波路（９ａ），前記第３のサブマッハツェンダー導波路（８ｂ），前記第４のサブマッハツェンダー導波路（９ｂ），前記第１の位相変調器（１０ａ），前記第２の位相変調器（１１ａ），前記第３の位相変調器（１０ｂ），及び前記第４の位相変調器（１１ｂ）に印加する電圧を供給する電源系と，
前記電源系に制御信号を与えることで，前記電源系が出力する電圧を変化させる，コンピュータを有する制御部と，
前記合波点（４）からの出力を検出する検出部と，
をさらに有し，
前記制御部は，
前記第１の位相変調器（１０ａ），前記第２の位相変調器（１１ａ），前記第３の位相変調器（１０ｂ）及び前記第４の位相変調器（１１ｂ）の少なくとも１つにディザリング信号を印加するように電源系に指令を出す，ディザリング信号指示手段と，
前記ディザリング信号を印加される位相変調器へ光信号を出力するサブマッハツェンダー導波路に印加するバイアス電圧を掃引するように電源系に指令を出す，バイアス掃引指令手段と，
前記検出部が検出した検出情報から，前記ディザリング信号に由来する成分を抽出する，ディザリング信号抽出部と，
前記ディザリング信号抽出部が抽出した，前記ディザリング信号に由来する成分の変動が所定の範囲内となるバイアス電圧値を求める，最適バイアス電圧値取得手段と，
を有し，
前記第１の位相変調器（１０ａ），前記第２の位相変調器（１１ａ），前記第３の位相変調器（１０ｂ）及び前記第４の位相変調器（１１ｂ）の少なくとも１つにディザリング信号を印加する工程と，
前記ディザリング信号を印加される位相変調器へ光信号を出力するサブマッハツェンダー導波路に印加するバイアス電圧を掃引しつつ，前記合波部（４）からの出力を前記検出部が検出する工程と，
前記検出部が検出した検出情報が前記制御部へ入力される工程と，
前記制御部のディザリング信号抽出部が，入力された前記検出情報に基づいて，前記ディザリング信号に由来する成分を抽出する工程と，
前記制御部の最適バイアス電圧値取得手段が，前記ディザリング信号に由来する成分の変動が所定の範囲内となるバイアス電圧値を求める工程と，
を含み，
これにより，前記第１のサブマッハツェンダー導波路（８ａ），前記第２のサブマッハツェンダー導波路（９ａ），前記第３のサブマッハツェンダー導波路（８ｂ），及び前記第４のサブマッハツェンダー導波路（９ｂ）のいずれかに印加されるバイアス電圧の最適値を求めることができる，
光変調システムのバイアス調整方法。
【請求項７】
第１の分岐部（１）と，
前記第１の分岐部（１）から分岐した第１の導波路（２）と，
前記第１の導波路（２）に設けられたマッハツェンダー干渉計を有する第１の変調器（３）と，
前記第１の分岐部（１）から分岐した，前記第１の導波路（２）とは別の導波路であって，前記第１の導波路（２）と合波点（４）で合わさる第２の導波路（５）と，
前記第２の導波路（５）に設けられたマッハツェンダー干渉計を有する第２の変調器（６）とを有する光変調システムであって，
前記第１の変調器（３）は，
第１のメインマッハツェンダー導波路（７ａ）と，
前記第１のメインマッハツェンダー導波路（７ａ）の一方のアームに設けられた第１のサブマッハツェンダー導波路（８ａ）と，
前記第１のメインマッハツェンダー導波路（７ａ）の残りのアームに設けられた第２のサブマッハツェンダー導波路（９ａ）と，
を具備し，
前記第２の変調器（６）は，
第２のメインマッハツェンダー導波路（７ｂ）と，
前記第２のメインマッハツェンダー導波路（７ｂ）の一方のアームに設けられた第３のサブマッハツェンダー導波路（８ｂ）と，
前記第２のメインマッハツェンダー導波路（７ｂ）の残りのアームに設けられた第４のサブマッハツェンダー導波路（９ｂ）と，
を具備し，
前記光変調システムは，
前記第１のサブマッハツェンダー導波路（８ａ），前記第２のサブマッハツェンダー導波路（９ａ），前記第３のサブマッハツェンダー導波路（８ｂ），及び前記第４のサブマッハツェンダー導波路（９ｂ）に印加する電圧を供給する電源系と，
前記電源系に制御信号を与えることで，前記電源系が出力する電圧を変化させる，コンピュータを有する制御部と，
前記合波点（４）からの出力を検出する検出部と，
をさらに有し，
前記制御部は，
前記第１のサブマッハツェンダー導波路（８ａ），前記第２のサブマッハツェンダー導波路（９ａ），前記第３のサブマッハツェンダー導波路（８ｂ），及び前記第４のサブマッハツェンダー導波路（９ｂ）の少なくとも１つにディザリング信号を印加するように電源系に指令を出す，ディザリング信号指示手段と，
前記ディザリング信号が印加されるサブマッハツェンダー導波路に印加するバイアス電圧を掃引するように電源系に指令を出す，バイアス掃引指令手段と，
前記検出部が検出した検出情報から，前記ディザリング信号のｎ倍（ｎは正の整数）の周波数成分を抽出する，ディザリング関連信号抽出部と，
前記ディザリング関連信号抽出部が抽出した，前記ディザリング信号のｎ倍の周波数成分が所定の範囲内となるバイアス電圧値を求める，最適バイアス電圧値取得手段と，
を有し，
これにより，前記第１のサブマッハツェンダー導波路（８ａ），前記第２のサブマッハツェンダー導波路（９ａ），前記第３のサブマッハツェンダー導波路（８ｂ），及び前記第４のサブマッハツェンダー導波路（９ｂ）のいずれかに印加されるバイアス電圧の最適値を求めることができる，
光変調システム。
【請求項８】
前記第１の変調器（３）は，４相位相シフトキーイング（ＱＰＳＫ）信号を出力する第１のＱＰＳＫ変調器であり，
前記第２の変調器（６）は，前記第１のＱＰＳＫ変調器からの出力信号よりも振幅が小さなＱＰＳＫ信号を出力する第２のＱＰＳＫ変調器（６）である，
請求項７に記載の光変調システム。
【請求項９】
前記光変調システムは，
前記第１の分岐部（１）から分岐した複数の導波路であって，前記第１の導波路（２）及び前記第２の導波路（５）以外のものであり，前記第１の導波路（２）及び前記第２の導波路（５）と前記合波点（４）で合わさる導波路と，
前記複数の導波路に設けられたメインマッハツェンダー導波路と，前記メインマッハツェンダー導波路の一方のアームに設けられたサブマッハツェンダー導波路と，前記メインマッハツェンダー導波路の残りのアームに設けられたサブマッハツェンダー導波路と，
を有し，
前記電源系は，前記サブマッハツェンダー導波路のすべてに印加する電圧を供給するものであり，
前記制御部のディザリング信号指示手段は，
前記サブマッハツェンダー導波路の少なくとも１つにディザリング信号を印加するように電源系に指令を出す手段である
請求項７に記載の光変調システム。
【請求項１０】
前記第１のメインマッハツェンダー導波路（７ａ）の一方のアームは，さらに（Ｍ−１）個のサブマッハツェンダー導波路を有し，
前記第１のメインマッハツェンダー導波路（７ａ）の残りのアームは，さらに（Ｍ-１）個のサブマッハツェンダー導波路を有し，
前記第２のメインマッハツェンダー導波路（７ｂ）の一方のアームは，さらに（Ｍ−１）個のサブマッハツェンダー導波路を有し，
前記第２のメインマッハツェンダー導波路（７ｂ）は，さらに（Ｍ−１）個のサブマッハツェンダー導波路を有し，
前記光変調システムは，前記第１の分岐部（１）と前記合波点（４）とに接続された，それぞれＭ個のサブマッハツェンダー導波路を有するＮ個の導波路を有する，
請求項７に記載の光変調システム。
【請求項１１】
前記第１のメインマッハツェンダー導波路（７ａ）の一方のアームは，さらに（Ｍ−１）個のサブマッハツェンダー導波路を有し，
前記第１のメインマッハツェンダー導波路（７ａ）の残りのアームは，さらに（Ｍ-１）個のサブマッハツェンダー導波路を有し，
前記第２のメインマッハツェンダー導波路（７ｂ）の一方のアームは，さらに（Ｍ−１）個のサブマッハツェンダー導波路を有し，
前記第２のメインマッハツェンダー導波路（７ｂ）は，さらに（Ｍ−１）個のサブマッハツェンダー導波路を有し，
前記光変調システムは，前記第１の分岐部（１）と前記合波点（４）とに接続された，それぞれＭ個のサブマッハツェンダー導波路を有するＮ個の導波路を有し，
前記ディザリング信号指示手段は，
前記光変調システムに含まれる位相変調器の少なくとも１つにディザリング信号を印加するように前記電源系に指令を出すとともに，
２つ以上の位相変調器にディザリング信号を印加する場合は，異なる周波数のディザリング信号を印加するように前記電源系へ指令を出すものである，
請求項７に記載の光変調システム。
【請求項１２】
前記ｎが２である請求項７に記載の光変調システム。
【請求項１３】
前記第１の変調器（３）は，
前記第１のサブマッハツェンダー導波路（８ａ）の前段又は後段に設けられた位相変調器（ＰＭ１）と，
前記第２のサブマッハツェンダー導波路（９ａ）の前段又は後段に設けられた位相変調器（ＰＭ２）とを更に有し，
前記第２の変調器（６）は，
前記第３のサブマッハツェンダー導波路（８ｂ）の前段又は後段に設けられた位相変調器（ＰＭＮ−１）と，
前記第４のサブマッハツェンダー導波路（９ｂ）の前段又は後段に設けられた位相変調器（ＰＭＮ）とを更に有する
請求項７に記載の光変調システム。
【請求項１４】
第１の分岐部（１）と，
前記第１の分岐部（１）から分岐した第１の導波路（２）と，
前記第１の導波路（２）に設けられたマッハツェンダー干渉計を有する第１の変調器（３）と，
前記第１の分岐部（１）から分岐した，前記第１の導波路（２）とは別の導波路であって，前記第１の導波路（２）と合波点（４）で合わさる第２の導波路（５）と，
前記第２の導波路（５）に設けられたマッハツェンダー干渉計を有する第２の変調器（６）とを有する光変調システムであって，
前記第１の変調器（３）は，
第１のメインマッハツェンダー導波路（７ａ）と，
前記第１のメインマッハツェンダー導波路（７ａ）の一方のアームに設けられた第１のサブマッハツェンダー導波路（８ａ）と，
前記第１のメインマッハツェンダー導波路（７ａ）の残りのアームに設けられた第２のサブマッハツェンダー導波路（９ａ）と，
を具備し，
前記第２の変調器（６）は，
第２のメインマッハツェンダー導波路（７ｂ）と，
前記第２のメインマッハツェンダー導波路（７ｂ）の一方のアームに設けられた第３のサブマッハツェンダー導波路（８ｂ）と，
前記第２のメインマッハツェンダー導波路（７ｂ）の残りのアームに設けられた第４のサブマッハツェンダー導波路（９ｂ）と，
を具備し，
前記光変調システムは，
前記第１のサブマッハツェンダー導波路（８ａ），前記第２のサブマッハツェンダー導波路（９ａ），前記第３のサブマッハツェンダー導波路（８ｂ），及び前記第４のサブマッハツェンダー導波路（９ｂ）に印加する電圧を供給する電源系と，
前記電源系に制御信号を与えることで，前記電源系が出力する電圧を変化させる，コンピュータを有する制御部と，
前記合波点（４）からの出力を検出する検出部と，
をさらに有し，
前記制御部は，
前記第１のサブマッハツェンダー導波路（８ａ），前記第２のサブマッハツェンダー導波路（９ａ），前記第３のサブマッハツェンダー導波路（８ｂ），及び前記第４のサブマッハツェンダー導波路（９ｂ）の少なくとも１つにディザリング信号を印加するように電源系に指令を出す，ディザリング信号指示手段と，
前記ディザリング信号指示手段がディザリング信号を印加するように指示したサブマッハツェンダー導波路以外のすべてのサブマッハツェンダー導波路に正弦波電気信号を入力するように指示する正弦波電気信号指示手段と，
前記ディザリング信号が印加されるサブマッハツェンダー導波路に印加するバイアス電圧を掃引するように電源系に指令を出す，バイアス掃引指令手段と，
前記検出部が検出した検出情報から，前記ディザリング信号の強度が変化しても強度が変化しない成分であるオフセット成分を抽出する，オフセット成分抽出部と，
前記オフセット成分抽出部が抽出した，前記オフセット成分が所定の範囲内となるバイアス電圧値を求める，最適バイアス電圧値取得手段と，
を有し，
これにより，前記第１のサブマッハツェンダー導波路（８ａ），前記第２のサブマッハツェンダー導波路（９ａ），前記第３のサブマッハツェンダー導波路（８ｂ），及び前記第４のサブマッハツェンダー導波路（９ｂ）のいずれかに印加されるバイアス電圧の最適値を求めることができる，
光変調システム。
【請求項１５】
前記第１の変調器（３）は，４相位相シフトキーイング（ＱＰＳＫ）信号を出力する第１のＱＰＳＫ変調器であり，
前記第２の変調器（６）は，前記第１のＱＰＳＫ変調器からの出力信号よりも振幅が小さなＱＰＳＫ信号を出力する第２のＱＰＳＫ変調器（６）である，
請求項１４に記載の光変調システム。
【請求項１６】
前記光変調システムは，
前記第１の分岐部（１）から分岐した複数の導波路であって，前記第１の導波路（２）及び前記第２の導波路（５）以外のものであり，前記第１の導波路（２）及び前記第２の導波路（５）と前記合波点（４）で合わさる導波路と，
前記複数の導波路に設けられたメインマッハツェンダー導波路と，前記メインマッハツェンダー導波路の一方のアームに設けられたサブマッハツェンダー導波路と，前記メインマッハツェンダー導波路の残りのアームに設けられたサブマッハツェンダー導波路と  を有し，
前記電源系は，前記サブマッハツェンダー導波路のすべてに印加する電圧を供給するとともに，前記位相変調器のすべての印加する電圧を供給するものであり，
前記制御部のディザリング信号指示手段は，
前記サブマッハツェンダー導波路の少なくとも１つにディザリング信号を印加するように電源系に指令を出す手段である
請求項１４に記載の光変調システム。
【請求項１７】
前記第１のメインマッハツェンダー導波路（７ａ）の一方のアームは，さらに（Ｍ−１）個のサブマッハツェンダー導波路を有し，
前記第１のメインマッハツェンダー導波路（７ａ）の残りのアームは，さらに（Ｍ-１）個のサブマッハツェンダー導波路を有し，
前記第２のメインマッハツェンダー導波路（７ｂ）の一方のアームは，さらに（Ｍ−１）個のサブマッハツェンダー導波路を有し，
前記第２のメインマッハツェンダー導波路（７ｂ）は，さらに（Ｍ−１）個のサブマッハツェンダー導波路を有し，
前記光変調システムは，前記第１の分岐部（１）と前記合波点（４）とに接続された，それぞれＭ個のサブマッハツェンダー導波路を有する（Ｎ−４）個の導波路をさらに有する，
請求項１４に記載の光変調システム。
【請求項１８】
前記第１のメインマッハツェンダー導波路（７ａ）の一方のアームは，さらに（Ｍ−１）個のサブマッハツェンダー導波路を有し，
前記第１のメインマッハツェンダー導波路（７ａ）の残りのアームは，さらに（Ｍ-１）個のサブマッハツェンダー導波路を有し，
前記第２のメインマッハツェンダー導波路（７ｂ）の一方のアームは，さらに（Ｍ−１）個のサブマッハツェンダー導波路を有し，
前記第２のメインマッハツェンダー導波路（７ｂ）は，さらに（Ｍ−１）個のサブマッハツェンダー導波路を有し，
前記光変調システムは，前記第１の分岐部（１）と前記合波点（４）とに接続された，それぞれＭ個のサブマッハツェンダー導波路を有するＮ個の導波路を有し，
前記ディザリング信号指示手段は，
前記光変調システムに含まれる位相変調器の少なくとも１つにディザリング信号を印加するように前記電源系に指令を出すとともに，
２つ以上の位相変調器にディザリング信号を印加する場合は，異なる周波数のディザリング信号を印加するように前記電源系へ指令を出すものである，
請求項１４に記載の光変調システム。
【請求項１９】
前記第１の変調器（３）は，
前記第１のサブマッハツェンダー導波路（８ａ）の前段又は後段に設けられた位相変調器（ＰＭ１）と，
前記第２のサブマッハツェンダー導波路（９ａ）の前段又は後段に設けられた位相変調器（ＰＭ２）とを更に有し，
前記第２の変調器（６）は，
前記第３のサブマッハツェンダー導波路（８ｂ）の前段又は後段に設けられた位相変調器（ＰＭＮ−１）と，
前記第４のサブマッハツェンダー導波路（９ｂ）の前段又は後段に設けられた位相変調器（ＰＭＮ）とを更に有する
請求項１４に記載の光変調システム。
【請求項２０】
第１の分岐部（１）と，
前記第１の分岐部（１）から分岐した第１の導波路（２）と，
前記第１の導波路（２）に設けられたマッハツェンダー干渉計を有する第１の変調器（３）と，
前記第１の分岐部（１）から分岐した，前記第１の導波路（２）とは別の導波路であって，前記第１の導波路（２）と合波点（４）で合わさる第２の導波路（５）と，
前記第２の導波路（５）に設けられたマッハツェンダー干渉計を有する第２の変調器（６）とを有する光変調システムであって，
前記第１の変調器（３）は，
第１のメインマッハツェンダー導波路（７ａ）と，
前記第１のメインマッハツェンダー導波路（７ａ）の一方のアームに設けられた第１のサブマッハツェンダー導波路（８ａ）と，
前記第１のメインマッハツェンダー導波路（７ａ）の残りのアームに設けられた第２のサブマッハツェンダー導波路（９ａ）と，
前記第１のサブマッハツェンダー導波路（８ａ）へ入力される光に位相変調を施すための第７の位相変調器と，
前記第２のサブマッハツェンダー導波路（９ａ）へ入力される光に位相変調を施すための第８の位相変調器と，
を具備し，
前記第２の変調器（６）は，
第２のメインマッハツェンダー導波路（７ｂ）と，
前記第２のメインマッハツェンダー導波路（７ｂ）の一方のアームに設けられた第３のサブマッハツェンダー導波路（８ｂ）と，
前記第２のメインマッハツェンダー導波路（７ｂ）の残りのアームに設けられた第４のサブマッハツェンダー導波路（９ｂ）と，
前記第３のサブマッハツェンダー導波路（８ｂ）へ入力される光に位相変調を施すための第９の位相変調器と，
前記第４のサブマッハツェンダー導波路（９ｂ）へ入力される光に位相変調を施すための第１０の位相変調器と，
を具備し，
前記光変調システムは，
前記第１のサブマッハツェンダー導波路（８ａ），前記第２のサブマッハツェンダー導波路（９ａ），前記第３のサブマッハツェンダー導波路（８ｂ），前記第４のサブマッハツェンダー導波路（９ｂ），前記第７の位相変調器，前記第８の位相変調器，前記第９の位相変調器，及び前記第１０の位相変調器に印加する電圧を供給する電源系と，
前記電源系に制御信号を与えることで，前記電源系が出力する電圧を変化させる，コンピュータを有する制御部と，
前記合波点（４）からの出力を検出する検出部と，
を有し，
前記制御部は，
前記第７の位相変調器，前記第８の位相変調器，前記第９の位相変調器，及び前記第１０の位相変調器の少なくとも１つにディザリング信号を印加するように電源系に指令を出す，ディザリング信号指示手段と，
前記ディザリング信号を印加される位相変調器の前段に存在するサブマッハツェンダー導波路に印加するバイアス電圧を掃引するように電源系に指令を出す，バイアス掃引指令手段と，
前記検出部が検出した検出情報から，前記ディザリング信号に由来する成分を抽出する，ディザリング信号抽出部と，
前記ディザリング信号抽出部が抽出した，前記ディザリング信号に由来する成分の変動が所定の範囲内となるバイアス電圧値を求める，最適バイアス電圧値取得手段と，
を有し，
これにより，前記第１のサブマッハツェンダー導波路（８ａ），前記第２のサブマッハツェンダー導波路（９ａ），前記第３のサブマッハツェンダー導波路（８ｂ），及び前記第４のサブマッハツェンダー導波路（９ｂ）のいずれかに印加されるバイアス電圧の最適値を求めることができる，
光変調システム。
【請求項２１】
第１の分岐部（１）と，
前記第１の分岐部（１）から分岐した第１の導波路（２）と，
前記第１の導波路（２）に設けられたマッハツェンダー干渉計を有する第１の変調器（３）と，
前記第１の分岐部（１）から分岐した，前記第１の導波路（２）とは別の導波路であって，前記第１の導波路（２）と合波点（４）で合わさる第２の導波路（５）と，
前記第２の導波路（５）に設けられたマッハツェンダー干渉計を有する第２の変調器（６）とを有する光変調システムであって，
前記第１の変調器（３）は，
第１のメインマッハツェンダー導波路（７ａ）と，
前記第１のメインマッハツェンダー導波路（７ａ）の一方のアームに設けられた第１のサブマッハツェンダー導波路（８ａ）と，
前記第１のメインマッハツェンダー導波路（７ａ）の残りのアームに設けられた第２のサブマッハツェンダー導波路（９ａ）と，
を具備し，
前記第２の変調器（６）は，
第２のメインマッハツェンダー導波路（７ｂ）と，
前記第２のメインマッハツェンダー導波路（７ｂ）の一方のアームに設けられた第３のサブマッハツェンダー導波路（８ｂ）と，
前記第２のメインマッハツェンダー導波路（７ｂ）の残りのアームに設けられた第４のサブマッハツェンダー導波路（９ｂ）と，
を具備し，
前記光変調システムは，
前記第１のサブマッハツェンダー導波路（８ａ），前記第２のサブマッハツェンダー導波路（９ａ），前記第３のサブマッハツェンダー導波路（８ｂ），前記第４のサブマッハツェンダー導波路（９ｂ）のそれぞれ２つの導波路に印加する電圧を供給する電源系と，
前記電源系に制御信号を与えることで，前記電源系が出力する電圧を変化させる，コンピュータを有する制御部と，
前記合波点（４）からの出力を検出する検出部と，
を有し，
前記制御部は，
前記第１のサブマッハツェンダー導波路（８ａ），前記第２のサブマッハツェンダー導波路（９ａ），前記第３のサブマッハツェンダー導波路（８ｂ），前記第４のサブマッハツェンダー導波路（９ｂ）のいずれかについて，２つの導波路に同じ位相のディザリング信号を印加するように電源系に指令を出す，ディザリング信号指示手段と，
前記ディザリング信号が印加されるサブマッハツェンダー導波路に印加するバイアス電圧を掃引するように電源系に指令を出す，バイアス掃引指令手段と，
前記検出部が検出した検出情報から，前記ディザリング信号に由来する成分を抽出する，ディザリング信号抽出部と，
前記ディザリング信号抽出部が抽出した，前記ディザリング信号に由来する成分の変動が所定の範囲内となるバイアス電圧値を求める，最適バイアス電圧値取得手段と，
を有し，
これにより，前記第１のサブマッハツェンダー導波路（８ａ），前記第２のサブマッハツェンダー導波路（９ａ），前記第３のサブマッハツェンダー導波路（８ｂ），及び前記第４のサブマッハツェンダー導波路（９ｂ）のいずれかに印加されるバイアス電圧の最適値を求めることができる，
光変調システム。
【請求項２２】
第１の分岐部（１）と，
前記第１の分岐部（１）から分岐した第１の導波路（２）と，
前記第１の導波路（２）に設けられたマッハツェンダー干渉計を有する第１の変調器（３）と，
前記第１の分岐部（１）から分岐した，前記第１の導波路（２）とは別の導波路であって，前記第１の導波路（２）と合波点（４）で合わさる第２の導波路（５）と，
前記第２の導波路（５）に設けられたマッハツェンダー干渉計を有する第２の変調器（６）とを有する光変調システムであって，
前記第１の変調器（３）は，
第１のメインマッハツェンダー導波路（７ａ）と，
前記第１のメインマッハツェンダー導波路（７ａ）の一方のアームに設けられた第１のサブマッハツェンダー導波路（８ａ）と，
前記第１のメインマッハツェンダー導波路（７ａ）の残りのアームに設けられた第２のサブマッハツェンダー導波路（９ａ）と，
を具備し，
前記第２の変調器（６）は，
第２のメインマッハツェンダー導波路（７ｂ）と，
前記第２のメインマッハツェンダー導波路（７ｂ）の一方のアームに設けられた第３のサブマッハツェンダー導波路（８ｂ）と，
前記第２のメインマッハツェンダー導波路（７ｂ）の残りのアームに設けられた第４のサブマッハツェンダー導波路（９ｂ）と，
を具備し，
前記光変調システムは，
前記第１のサブマッハツェンダー導波路（８ａ），前記第２のサブマッハツェンダー導波路（９ａ），前記第３のサブマッハツェンダー導波路（８ｂ），及び前記第４のサブマッハツェンダー導波路（９ｂ）に印加する電圧を供給する電源系と，
前記電源系に制御信号を与えることで，前記電源系が出力する電圧を変化させる，コンピュータを有する制御部と，
前記合波点（４）からの出力を検出する検出部と，
をさらに有し，
前記制御部は，
前記第１のサブマッハツェンダー導波路（８ａ），前記第２のサブマッハツェンダー導波路（９ａ），前記第３のサブマッハツェンダー導波路（８ｂ），及び前記第４のサブマッハツェンダー導波路（９ｂ）の少なくとも１つにディザリング信号を印加するように電源系に指令を出す，ディザリング信号指示手段と，
前記検出部が検出した検出情報から，前記ディザリング信号のｎ倍（ｎは正の整数）の周波数成分を抽出する，ディザリング関連信号抽出部と，
前記ディザリング関連信号抽出部が抽出した，前記ディザリング信号のｎ倍の周波数成分が最も大きくなるようなバイアス電圧値を求める，最適バイアス電圧値取得手段と，
を有し，
これにより，前記第１のサブマッハツェンダー導波路（８ａ），前記第２のサブマッハツェンダー導波路（９ａ），前記第３のサブマッハツェンダー導波路（８ｂ），及び前記第４のサブマッハツェンダー導波路（９ｂ）のいずれかに印加されるバイアス電圧の最適値を求めることができる，
光変調システム。
【請求項２３】
第１の分岐部（１）と，
前記第１の分岐部（１）から分岐した第１の導波路（２）と，
前記第１の導波路（２）に設けられたマッハツェンダー干渉計を有する第１の変調器（３）と，
前記第１の分岐部（１）から分岐した，前記第１の導波路（２）とは別の導波路であって，前記第１の導波路（２）と合波点（４）で合わさる第２の導波路（５）と，
前記第２の導波路（５）に設けられたマッハツェンダー干渉計を有する第２の変調器（６）とを有する光変調システムであって，
前記第１の変調器（３）は，
第１のメインマッハツェンダー導波路（７ａ）と，
前記第１のメインマッハツェンダー導波路（７ａ）の一方のアームに設けられた第１のサブマッハツェンダー導波路（８ａ）と，
前記第１のメインマッハツェンダー導波路（７ａ）の残りのアームに設けられた第２のサブマッハツェンダー導波路（９ａ）と，
前記第１のサブマッハツェンダー導波路（８ａ）の合波部を経た光に位相変調を施すための第１の位相変調器（１０ａ）と，
前記第２のサブマッハツェンダー導波路（９ａ）の合波部を経た光に位相変調を施すための第２の位相変調器（１１ａ）と，
を具備し，
前記第２の変調器（６）は，
第２のメインマッハツェンダー導波路（７ｂ）と，
前記第２のメインマッハツェンダー導波路（７ｂ）の一方のアームに設けられた第３のサブマッハツェンダー導波路（８ｂ）と，
前記第２のメインマッハツェンダー導波路（７ｂ）の残りのアームに設けられた第４のサブマッハツェンダー導波路（９ｂ）と，
前記第３のサブマッハツェンダー導波路（８ｂ）の合波部を経た光に位相変調を施すための第３の位相変調器（１０ｂ）と，
前記第４のサブマッハツェンダー導波路（９ｂ）の合波部を経た光に位相変調を施すための第４の位相変調器（１１ｂ）と，
を具備し，
前記光変調システムは，
前記第１のサブマッハツェンダー導波路（８ａ），前記第２のサブマッハツェンダー導波路（９ａ），前記第３のサブマッハツェンダー導波路（８ｂ），前記第４のサブマッハツェンダー導波路（９ｂ）のそれぞれ２つの導波路に印加する電圧を供給する電源系と，
前記電源系に制御信号を与えることで，前記電源系が出力する電圧を変化させる，コンピュータを有する制御部と，
前記合波点（４）からの出力を検出する検出部と，
を有し，
前記制御部は，
前記第１のサブマッハツェンダー導波路（８ａ）及び前記第２のサブマッハツェンダー導波路（９ａ）に同じ周波数のディザリング信号を印加するか，
前記第３のサブマッハツェンダー導波路（８ｂ）及び前記第４のサブマッハツェンダー導波路（９ｂ）に同じ周波数のディザリング信号を印加するように電源系に指令を出す，ディザリング信号指示手段と，
前記ディザリング信号が印加されるサブマッハツェンダー導波路の２つの導波路には，逆位相の正弦波を印加するように前記電源系に指令を出す，正弦波信号指示手段と，
前記ディザリング信号が印加されるサブマッハツェンダー導波路の合波部を経た光に位相変調を施すための位相変調器に印加するバイアス電圧を掃引するように電源系に指令を出す，バイアス掃引指令手段と，
前記検出部が検出した検出情報から，前記ディザリング信号に由来する成分を抽出する，ディザリング信号抽出部と，
前記ディザリング信号抽出部が抽出した，前記ディザリング信号に由来する成分の変動が所定の範囲内となるバイアス電圧値を求める，最適バイアス電圧値取得手段と，
を有し，
これにより，前記第１のサブマッハツェンダー導波路（８ａ），前記第２のサブマッハツェンダー導波路（９ａ），前記第３のサブマッハツェンダー導波路（８ｂ），及び前記第４のサブマッハツェンダー導波路（９ｂ）のいずれかに印加されるバイアス電圧の最適値を求めることができる，
光変調システム。
【請求項２４】
第１の分岐部（１）と，
前記第１の分岐部（１）から分岐した第１の導波路（２）と，
前記第１の導波路（２）に設けられたマッハツェンダー干渉計を有する第１の変調器（３）と，
前記第１の分岐部（１）から分岐した，前記第１の導波路（２）とは別の導波路であって，前記第１の導波路（２）と合波点（４）で合わさる第２の導波路（５）と，
前記第２の導波路（５）に設けられたマッハツェンダー干渉計を有する第２の変調器（６）とを有する光変調システムであって，
前記第１の変調器（３）は，
第１のメインマッハツェンダー導波路（７ａ）と，
前記第１のメインマッハツェンダー導波路（７ａ）の一方のアームに設けられた第１のサブマッハツェンダー導波路（８ａ）と，
前記第１のメインマッハツェンダー導波路（７ａ）の残りのアームに設けられた第２のサブマッハツェンダー導波路（９ａ）と，
前記第１のサブマッハツェンダー導波路（８ａ）の出力部に設けられた第１の位相変調器と，
前記第２のサブマッハツェンダー導波路（９ａ）の出力部に設けられた第２の位相変調器と，
を具備し，
前記第２の変調器（６）は，
第２のメインマッハツェンダー導波路（７ｂ）と，
前記第２のメインマッハツェンダー導波路（７ｂ）の一方のアームに設けられた第３のサブマッハツェンダー導波路（８ｂ）と，
前記第２のメインマッハツェンダー導波路（７ｂ）の残りのアームに設けられた第４のサブマッハツェンダー導波路（９ｂ）と，
前記第３のサブマッハツェンダー導波路（８ｂ）の出力部に設けられた第３の位相変調器と，
前記第４のサブマッハツェンダー導波路（９ｂ）の出力部に設けられた第４の位相変調器と，
を具備し，
前記光変調システムは，
前記第１のサブマッハツェンダー導波路（８ａ），前記第２のサブマッハツェンダー導波路（９ａ），前記第３のサブマッハツェンダー導波路（８ｂ），及び前記第４のサブマッハツェンダー導波路（９ｂ）に印加する電圧及び前記第１〜第４の位相変調器に印加するバイアス電圧を供給する電源系と，
前記電源系に制御信号を与えることで，前記電源系が出力する電圧を変化させる，コンピュータを有する制御部と，
前記合波点（４）からの出力を検出する検出部と，
をさらに有し，
前記制御部は，
前記第１のサブマッハツェンダー導波路（８ａ）及び前記第２のサブマッハツェンダー導波路（９ａ）を除くサブマッハツェンダー導波路に正弦波信号を入力するように前記電源系に制御信号を与え，
前記第１の位相変調器及び前記第２の位相変調器に印加するバイアス電圧を掃引するように電源系に指令を出す，バイアス掃引指令手段と，
前記検出部が検出した出力から，前記バイアス掃引指令手段の指令に従って印加されたバイアス電圧の周波数成分を抽出する成分抽出部と，
を有し，
前記第１の位相変調器及び前記第２の位相変調器が同相の場合は前記成分抽出部が抽出した周波数成分の強度が最大となり，
前記第１の位相変調器及び前記第２の位相変調器が逆相の場合は前記成分抽出部が抽出した周波数成分の強度が最小となるように制御する，  
光変調システム。
【発明の詳細な説明】
【技術分野】
【０００１】
本発明はバイアス点調整が可能な複数のマッハツェンダー構造を有する光変調器に関する。
【背景技術】
【０００２】
マッハツェンダー(ＭＺ)構造の光変調器は，光通信の分野で広く使用されている。たとえば，特許第３８６７１４８号公報には，ＭＺ導波路を有する光変調器が開示されている。
【先行技術文献】
【特許文献】
【０００３】
【特許文献１】特許第３８６７１４８号公報
【発明の概要】
【発明が解決しようとする課題】
【０００４】
近年，複数のＭＺ構造を集積化させることにより，複雑な光信号を生成できるようになりつつある。一方，集積化されたＭＺ構造の各々のバイアス点を所望の状態にする方法は確立されていない。
【０００５】
そこで，本発明は，複数のＭＺ構造を有する光変調器に対しても，ＭＺ構造の各々のバイアス点を所望の状態にする方法を提供するものである。本発明は，またＱＰＳＫ信号，ＦＳＫ信号，ＱＡＭ信号，ＳＳＢ信号などの変調信号を安定に出力できる光変調器を提供することを目的とする。
【課題を解決するための手段】
【０００６】
本発明の第１の側面は，あるサブＭＺの合波部以降に位相変調器を設置し，その位相変調器にディザリング信号を入力した状態で，そのサブＭＺに印加するバイアス電圧を調整することで，最適なバイアス状況を把握できるという知見に基づく。
【０００７】
第１の側面に係る光変調システムは，第１の分岐部１と，第１の分岐部１から分岐した第１の導波路２と，第１の導波路２に設けられたマッハツェンダー干渉計を有する第１の変調器３と，第１の分岐部１から分岐した，第１の導波路２とは別の導波路であって，第１の導波路２と合波点４で合わさる第２の導波路５と，第２の導波路５に設けられたマッハツェンダー干渉計を有する第２の変調器６とを有する光変調システムである。
【０００８】
そして，第１の変調器３は，第１のメインマッハツェンダー導波路７ａと，第１のメインマッハツェンダー導波路７ａの一方のアームに設けられた第１のサブマッハツェンダー導波路８ａと，第１のメインマッハツェンダー導波路７ａの残りのアームに設けられた第２のサブマッハツェンダー導波路９ａと，第１のサブマッハツェンダー導波路８ａの合波部を経た光に位相変調を施すための第１の位相変調器１０ａと，第２のサブマッハツェンダー導波路９ａの合波部を経た光に位相変調を施すための第２の位相変調器１１ａとを具備する。
【０００９】
一方，第２の変調器６は，第２のメインマッハツェンダー導波路７ｂと，第２のメインマッハツェンダー導波路７ｂの一方のアームに設けられた第３のサブマッハツェンダー導波路８ｂと，第２のメインマッハツェンダー導波路７ｂの残りのアームに設けられた第４のサブマッハツェンダー導波路９ｂと，第３のサブマッハツェンダー導波路８ｂの合波部を経た光に位相変調を施すための第３の位相変調器１０ｂと，第４のサブマッハツェンダー導波路９ｂの合波部を経た光に位相変調を施すための第４の位相変調器１１ｂと，を具備する。
【００１０】
光変調システムは，第１のサブマッハツェンダー導波路８ａ，第２のサブマッハツェンダー導波路９ａ，第３のサブマッハツェンダー導波路８ｂ，第４のサブマッハツェンダー導波路９ｂ，第１の位相変調器１０ａ，第２の位相変調器１１ａ，第３の位相変調器１０ｂ，及び第４の位相変調器１１ｂに印加する電圧を供給する電源系と，電源系に制御信号を与えることで，電源系が出力する電圧を変化させる，コンピュータを有する制御部と，合波点４からの出力を検出する検出部とを有する。
【００１１】
そして，制御部は，第１の位相変調器１０ａ，第２の位相変調器１１ａ，第３の位相変調器１０ｂ及び第４の位相変調器１１ｂの少なくとも１つにディザリング信号を印加するように電源系に指令を出す，ディザリング信号指示手段と，ディザリング信号を印加される位相変調器の前段に存在するサブマッハツェンダー導波路に印加するバイアス電圧を掃引するように電源系に指令を出す，バイアス掃引指令手段と，検出部が検出した検出情報から，ディザリング信号に由来する成分を抽出する，ディザリング信号抽出部と，ディザリング信号抽出部が抽出した，ディザリング信号に由来する成分の変動が所定の範囲内となるバイアス電圧値を求める，最適バイアス電圧値取得手段とを有する。
【００１２】
これにより，本発明の第１の側面に係る光変調システムは，第１のサブマッハツェンダー導波路８ａ，第２のサブマッハツェンダー導波路９ａ，第３のサブマッハツェンダー導波路８ｂ，及び第４のサブマッハツェンダー導波路９ｂのいずれかに印加されるバイアス電圧の最適値を求めることができる。
【００１３】
第１の側面の好ましい態様は，第１の変調器３が，４相位相シフトキーイングＱＰＳＫ信号を出力する第１のＱＰＳＫ変調器であり，第２の変調器６は，第１のＱＰＳＫ変調器からの出力信号よりも振幅が小さなＱＰＳＫ信号を出力する第２のＱＰＳＫ変調器６である。
【００１４】
第１の側面の好ましい態様は，光変調システムが，第１の分岐部１から分岐した複数の導波路であって，第１の導波路２及び第２の導波路５以外のものであり，第１の導波路２及び第２の導波路５と合波点４で合わさる導波路と，複数の導波路に設けられたメインマッハツェンダー導波路と，メインマッハツェンダー導波路の一方のアームに設けられたサブマッハツェンダー導波路と，メインマッハツェンダー導波路の残りのアームに設けられたサブマッハツェンダー導波路と，一方のサブマッハツェンダー導波路の合波部を経た光に位相変調を施すための位相変調器と，残りのサブマッハツェンダー導波路の合波部を経た光に位相変調を施すための位相変調器と，を有するものである。そして，この態様の光変調システムの電源系は，サブマッハツェンダー導波路のすべてに印加する電圧を供給するとともに，位相変調器のすべてに電圧を供給するものである。そして，制御部のディザリング信号指示手段は，位相変調器の少なくとも１つにディザリング信号を印加するように電源系に指令を出す手段である。
【００１５】
第１の側面の好ましい態様は，上記の光変調システムを用いたバイアス調整方法に関する。そして，この方法は，第１の位相変調器１０ａ，第２の位相変調器１１ａ，第３の位相変調器１０ｂ及び第４の位相変調器１１ｂの少なくとも１つにディザリング信号を印加する。
【００１６】
その後，ディザリング信号を印加される位相変調器へ光信号を出力するサブマッハツェンダー導波路に印加するバイアス電圧を掃引しつつ，合波部４からの出力を検出部が検出する。すると，検出部が検出した検出情報が制御部へ入力される。
【００１７】
そして，制御部のディザリング信号抽出部が，入力された検出情報に基づいて，ディザリング信号に由来する成分を抽出する。そして，制御部の最適バイアス電圧値取得手段が，ディザリング信号に由来する成分の変動が所定の範囲内となるバイアス電圧値を求める。このようにして，このバイアス調整方法は，第１のサブマッハツェンダー導波路８ａ，第２のサブマッハツェンダー導波路９ａ，第３のサブマッハツェンダー導波路８ｂ，及び第４のサブマッハツェンダー導波路９ｂのいずれかに印加されるバイアス電圧の最適値を求めることができる。
【００１８】
本発明の第２の側面は，あるサブＭＺ導波路にディザリング信号を印加し，ディザリング信号の２倍の周波数成分をロックイン検波することで，最適なバイアス状況を把握できるという知見に基づく。第２の側面に係る光変調システムは，第１の側面と異なり各サブＭＺ導波路の後段に位相変調器は必要ない。
【００１９】
本発明の第３の側面は，あるＭＺ干渉計にディザリング信号を入力した状態で，そのＭＺ干渉計を除くすべてのＭＺ干渉計に正弦波電気信号を入力する。この正弦波電気信号は，ディザリング信号と周波数が異なるものとする。これは，出力光からディザリング信号由来の成分を抽出するためである。本発明の第３の側面の光変調システムは，本発明の第１の側面及び本発明の第２の側面にかかる光変調システムを適宜調整したものであるから，同様の構成を採用し，同様に動作させることができる。
【００２０】
前記したすべての側面について，Ｍ×Ｎ個のサブマッハツェンダー導波路を有する光変調システムに応用することができる。すなわち，この場合，第１のメインマッハツェンダー導波路７ａの一方のアームは，さらにＭ−１個のサブマッハツェンダー導波路を有する。そして，第１のメインマッハツェンダー導波路７ａの残りのアームは，さらにＭ-１個のサブマッハツェンダー導波路を有する。第２のメインマッハツェンダー導波路７ｂの一方のアームは，さらにＭ−１個のサブマッハツェンダー導波路を有する。第２のメインマッハツェンダー導波路７ｂは，さらにＭ−１個のサブマッハツェンダー導波路を有する。そして，光変調システムは，第１の分岐部１と合波点４とに接続された，それぞれＭ個のサブマッハツェンダー導波路を有する（Ｎ−４）個の導波路を有する。この具体的な例は，図５又は図６に示される光変調システムである。なお，図６に示されるシステムでは，列の数Ｎを２Ｎである。図６に示す例では，Ｍ個のサブマッハツェンダー導波路を有するＮ個列の導波路を有する。図５及び図６に示される例では，いずれかの列を第１のメインマッハツェンダー導波路７ａの一方のアームなどとして読み替えることで，すべてのサブマッハツェンダー導波路に印加されるバイアス電圧を調整することができる。なお，Ｍは１以上の整数であり，Ｎは４以上の整数である。
【発明の効果】
【００２１】
本発明によれば，複数のＭＺ構造を有する光変調器に対しても，ＭＺ構造の各々のバイアス点を所望の状態にする方法を提供できる。
【図面の簡単な説明】
【００２２】
【図１】図１は，第１の側面にかかる光変調システムの構成例を示す図である。
【図２】図２は，複数のＭＺ構造を有する光変調システムの概略図である。
【図３】図３は，ディザリング信号を位相変調器に印加した際の光出力の変化を示す図である。
【図４】図４は，マッハツェンダー導波路に印加する電圧を説明するための図である。
【図５】図５は，光変調システムの構成例を示す図である。
【図６】図６は，光変調システムの構成例を示す図である。
【図７】図７は，マッハツェンダー導波路の前段に位相変調器が設けられているシステムの例を示す概念図である。
【図８】図８は，サブマッハツェンダー導波路の両アームに電極が設けられているシステムの例を示す概念図である。
【図９】図９は，サブマッハツェンダー導波路の後段に位相変調器が設けられているシステムの例を示す概念図である。
【図１０】図１０は，２電極型マッハツェンダー変調器に正弦波電圧を入力したときの光出力を説明するための図である。
【図１１】図１１は，本発明のあるシステムにおける２つの調整対象サブマッハツェンダー変調器の出力の時間変化を説明するための図である。
【発明を実施するための形態】
【００２３】
バイアス調整法の原理説明
本発明の第１の側面は，あるサブＭＺの合波部以降（後段）に位相変調器を設置し，その位相変調器にディザリング信号を入力した状態で，そのサブＭＺに印加するバイアス電圧を調整することで，最適なバイアス状況を把握できるという知見に基づく。
【００２４】
本明細書において，「ディザリング信号」の例は，周波数がビットレートに比べて十分低い正弦波信号である。ディザリング信号の振幅の例は，変調器の半波長電圧Ｖπの１／５０以上１／３以下，又はＶπの１／２０以上１／５以下があげられる。
【００２５】
図１は，第１の側面にかかる光変調システムの構成例を示す図である。図１に示されるように，本発明の第１の側面に係る光変調システムは，第１の分岐部１と，第１の分岐部１から分岐した第１の導波路２と，第１の導波路２に設けられたマッハツェンダー干渉計を有する第１の変調器３と，第１の分岐部１から分岐した，第１の導波路２とは別の導波路であって，第１の導波路２と合波点４で合わさる第２の導波路５と，第２の導波路５に設けられたマッハツェンダー干渉計を有する第２の変調器６とを有する。
【００２６】
図１に示す例では，２つのメインマッハツェンダー干渉計を有するシステムを描画している。しかしながら，本発明の光変調システムは，さらに複数のメインマッハツェンダー干渉計を含んでも良い。なお，マッハツェンダー干渉計の製造方法やその機能は既に知られている。このため，本発明においては，既に知られた構成や製造方法を適宜採用することができる。
【００２７】
そして，第１の変調器３は，いわゆる入れ子型のマッハツェンダー干渉計を形成する。このような干渉計を有する光変調器は，特許文献１などにおいて既に知られている。すなわち，第１の変調器３は，第１のメインマッハツェンダー導波路７ａと，第１のメインマッハツェンダー導波路７ａの一方のアームに設けられた第１のサブマッハツェンダー導波路８ａと，第１のメインマッハツェンダー導波路７ａの残りのアームに設けられた第２のサブマッハツェンダー導波路９ａとを有する。
【００２８】
一方，この側面に係る光変調器は，第１のサブマッハツェンダー導波路８ａの合波部を経た光に位相変調を施すための第１の位相変調器１０ａと，第２のサブマッハツェンダー導波路９ａの合波部を経た光に位相変調を施すための第２の位相変調器１１ａとを具備する。これらの位相変調器は，各サブマッハツェンダー導波路の合波部と，第１のメインマッハツェンダー導波部の合波部１２ａとの間（サブマッハツェンダー導波路の後段）に設けられる。
【００２９】
一方，第２の変調器６は，第２のメインマッハツェンダー導波路７ｂと，第２のメインマッハツェンダー導波路７ｂの一方のアームに設けられた第３のサブマッハツェンダー導波路８ｂと，第２のメインマッハツェンダー導波路７ｂの残りのアームに設けられた第４のサブマッハツェンダー導波路９ｂとを有する。そして，第２の変調器６は，第３のサブマッハツェンダー導波路８ｂの合波部を経た光に位相変調を施すための第３の位相変調器１０ｂと，第４のサブマッハツェンダー導波路９ｂの合波部を経た光に位相変調を施すための第４の位相変調器１１ｂと，を具備する。
【００３０】
この光変調システムは，第１のサブマッハツェンダー導波路８ａ，第２のサブマッハツェンダー導波路９ａ，第３のサブマッハツェンダー導波路８ｂ，第４のサブマッハツェンダー導波路９ｂ，第１の位相変調器１０ａ，第２の位相変調器１１ａ，第３の位相変調器１０ｂ，及び第４の位相変調器１１ｂに印加する電圧を供給する電源系と，電源系に制御信号を与えることで，電源系が出力する電圧を変化させる，コンピュータを有する制御部と，合波点４からの出力を検出する検出部とを有する。
【００３１】
そして，制御部は，ディザリング信号指示手段と，ディザリング信号抽出部と，最適バイアス電圧値取得手段とを有する。制御部は，コンピュータを含む。そして，コンピュータは，入出力部，制御装置，演算装置，及び記憶装置を有する。そして，それらの要素はバスなどで情報の授受を行うことができるように接続されている。記憶装置には，各種情報が記憶されているほか，制御プログラムが記憶されていても良い。たとえば，入出力部から所定の情報（たとえば，ポインティングデバイスからの操作情報）が入力される。すると，制御装置は，記憶装置に記憶される制御プログラムを読み出す。そして，制御プログラムからの制御指令にしたがって，適宜記憶装置に記憶された情報を読み出し，演算装置にて所定の演算を行う。このようにして，所定の処理を達成できる。
【００３２】
ディザリング信号指示手段は，第１の位相変調器１０ａ，第２の位相変調器１１ａ，第３の位相変調器１０ｂ及び第４の位相変調器１１ｂの少なくとも１つにディザリング信号を印加するように電源系に指令を出すための装置である。たとえば，制御部の入出力部から所定の情報が，制御部へ入力される。すると，制御部は，記憶装置に記憶された演算プログラムを読み出す。そして，適宜演算処理を行って，電源系に所定の電圧を発生するように指示を出力する。
【００３３】
バイアス掃引指令手段は，位相変調器の前段に存在するサブマッハツェンダー導波路に印加するバイアス電圧を掃引するように電源系に指令を出す。位相変調器の前段に存在するサブマッハツェンダー導波路は，たとえば，第１の位相変調器１０ａに対する第１のサブマッハツェンダー導波路８ａがあげられる。制御部は，ディザリング信号を印加した位相変調器に関する情報を記憶している。そして，制御部は，記憶したディザリング信号を印加した位相変調器に関する情報を読み出して，それに対応するサブマッハツェンダー導波路に印加するバイアス電圧を掃引するように電源系に指令を出す。
【００３４】
一方，光変調システムからの出力光を検出部が検出する。検出部が検出した情報は，制御部へと印加される。そして，ディザリング信号抽出部は，検出部が検出した検出情報から，ディザリング信号に由来する成分を抽出する。
【００３５】
ディザリング信号に由来する成分は，ディザリング信号の周波数に由来する変異を有する。このため，検出信号から，ディザリング信号の周波数に由来する変異を抽出することで，ディザリング信号に由来する成分を抽出することができる。
【００３６】
最適バイアス電圧値取得手段は，ディザリング信号抽出部が抽出した，ディザリング信号に由来する成分の変動が所定の範囲内となるバイアス電圧値を求めるための装置である。記憶部は，所定の閾値を記憶している。一方，制御部は，抽出したディザリング信号に由来する成分に関する情報を用い，演算部でその変動を算出する。そして，制御部は，記憶部から所定の閾値を読み出して，塩残部で求めたディザリング信号に由来する成分の変動と閾値とを比較する。このようにして，本発明の第１の側面に係る光変調システムを用いることで，最適バイアス電圧値を取得することができる。「所定の範囲内」は，系によって，具体的な数値が異なる。そのため，たとえば，いったん実測をしてその値の範囲のおよその値を決定し，その値を記憶部に記憶しておけばよい。この処理は以下同様である。
【００３７】
なお，抽出したディザリング信号に由来する成分の変化が最小となるバイアス電圧値を求めることで，最適バイアス電圧値を求めても良い。
【００３８】
これにより，本発明の第１の側面に係る光変調システムは，第１のサブマッハツェンダー導波路８ａ，第２のサブマッハツェンダー導波路９ａ，第３のサブマッハツェンダー導波路８ｂ，及び第４のサブマッハツェンダー導波路９ｂのいずれかに印加されるバイアス電圧の最適値を求めることができる。
【００３９】
第１の側面の好ましい態様は，第１の変調器３が，４相位相シフトキーイングＱＰＳＫ信号を出力する第１のＱＰＳＫ変調器であり，第２の変調器６は，第１のＱＰＳＫ変調器からの出力信号よりも振幅が小さなＱＰＳＫ信号を出力する第２のＱＰＳＫ変調器６である。このような構成を採用するため，国際公開ＷＯ２００９−３７７９４号パンフレットに開示されるように直交振幅変調信号を発生させることができる。
【００４０】
第１の側面の好ましい態様は，光変調システムが，第１の分岐部１から分岐した複数の導波路であって，第１の導波路２及び第２の導波路５以外のものであり，第１の導波路２及び第２の導波路５と合波点４で合わさる導波路と，複数の導波路に設けられたメインマッハツェンダー導波路と，メインマッハツェンダー導波路の一方のアームに設けられたサブマッハツェンダー導波路と，メインマッハツェンダー導波路の残りのアームに設けられたサブマッハツェンダー導波路と，一方のサブマッハツェンダー導波路の合波部を経た光に位相変調を施すための位相変調器と，残りのサブマッハツェンダー導波路の合波部を経た光に位相変調を施すための位相変調器と，を有するものである。そして，この態様の光変調システムの電源系は，サブマッハツェンダー導波路のすべてに印加する電圧を供給するとともに，位相変調器のすべてに電圧を供給するものである。そして，制御部のディザリング信号指示手段は，位相変調器の少なくとも１つにディザリング信号を印加するように電源系に指令を出す手段である。
【００４１】
第１の側面の好ましい態様は，上記の光変調システムを用いたバイアス調整方法に関する。そして，この方法は，第１の位相変調器１０ａ，第２の位相変調器１１ａ，第３の位相変調器１０ｂ及び第４の位相変調器１１ｂの少なくとも１つにディザリング信号を印加する。
【００４２】
その後，ディザリング信号を印加される位相変調器へ光信号を出力するサブマッハツェンダー導波路に印加するバイアス電圧を掃引しつつ，合波部４からの出力を検出部が検出する。すると，検出部が検出した検出情報が制御部へ入力される。
【００４３】
そして，制御部のディザリング信号抽出部が，入力された検出情報に基づいて，ディザリング信号に由来する成分を抽出する。そして，制御部の最適バイアス電圧値取得手段が，ディザリング信号に由来する成分の変動が所定の範囲内となるバイアス電圧値を求める。このようにして，このバイアス調整方法は，第１のサブマッハツェンダー導波路８ａ，第２のサブマッハツェンダー導波路９ａ，第３のサブマッハツェンダー導波路８ｂ，及び第４のサブマッハツェンダー導波路９ｂのいずれかに印加されるバイアス電圧の最適値を求めることができる。
【００４４】
図２は，複数のＭＺ構造を有する光変調システムの概略図である。図２に示される光変調システムは，Ｎ個の入れ子型マッハツェンダー導波路が並列に並んでいる。そして，それぞれの入れ子型マッハツェンダー導波路は，２つのサブマッハツェンダー導波路を有している。そして，各サブＭＺ導波路の後段に位相変調器を有する。そして，その位相変調器にディザリング信号を入力した状態で，そのサブＭＺに印加するバイアス電圧を調整する。
【００４５】
図３は，ディザリング信号を位相変調器に印加した際の光出力の変化を示す図である。図３に示されるように，第１のサブＭＺ導波路のバイアス状態がボトム（安定状態）以外の場合は，第１のサブＭＺ導波路からの出力が強くなる。そして，光変調器の出力信号に含まれる変動のうち，ディザリング信号によるものの変動が大きくなる。一方，第１のサブＭＺ導波路のバイアス状態がボトム（安定状態）の場合は，第１のサブＭＺ導波路からの出力が小さくなる。そして，光変調器の出力信号に含まれる変動のうち，ディザリング信号によるものの変動が小さくなる。よって，ディザリング信号に由来する成分の変動が所定の範囲となるように制御することで，安定したバイアス状態を得ることができる。
図３に示す例では，バイアス点をボトムにセットする。もっとも，バイアス点をボトム以外にセットする場合でも安定状態を得ることができる。ディザリング信号による光出力の変動成分を観測し，変動成分が大きくなるようにバイアス電圧を調整することで，バイアス点をトップに設定できる。そじれ，それらの中間となるようにバイアス電圧を調整することで，バイアス点をクアドラチャに設定できる。
【００４６】
本発明の第２の側面は，あるサブＭＺ導波路にディザリング信号を印加し，ディザリング信号のｎ倍（ｎは，２以上の整数）の周波数成分（たとえば，２倍の周波数成分）をロックイン検波することで，最適なバイアス状況を把握できるという知見に基づく。第２の側面に係る光変調システムは，第１の側面と異なり各サブＭＺ導波路の後段に位相変調器は必要ない。
【００４７】
図４は，マッハツェンダー導波路に印加する電圧を説明するための図である。電圧を印加したことによる位相変化をθとする。入力光の振幅をＥ０とし，出力光の振幅をＥとする。ディザリング信号の角周波数をωｄとする。ＭＺ干渉計に印加される交流電圧の振幅をＶｍとし，直流電圧の電圧をＶ０とする。変調器の半波長電圧をＶπとする。すると，出力光Ｅ及び電圧印加による位相変化θは，以下のように表すことができる。
【００４８】
【数１】
2011197638.tif 000003
【００４９】
よって，Ｅ／Ｅ０は，以下のようにあらわすことができる。
【００５０】
【数２】
2011197638.tif 000004
【００５１】
出力光の振幅Ｅは，直接検波することで観測できる。上記の式より，オフセット成分，ωｄ成分及び２ωｄ成分は，それぞれ以下のようにあらわすことができる。
【００５２】
【数３】
2011197638.tif 000005
【００５３】
上記式から，Ｖｍ／Ｖπが概ね１より下回る場合、出力信号Ｅは，キャリア信号及び１次成分及び−１次成分が支配的であることがわかる。また，直接検波により得られる信号の２ωｄ成分に主に寄与するのは，１次及び−１次間のビート信号であることがわかる。すなわち，出力信号の２ωｄ成分が所定の範囲内となるようにθＤＣ（直流電圧Ｖ０）を調整することで，安定なバイアス状態を得ることができる。
【００５４】
本発明の第２の側面は，第１の分岐部１と，第１の分岐部１から分岐した第１の導波路２と，第１の導波路２に設けられたマッハツェンダー干渉計を有する第１の変調器３と，第１の分岐部１から分岐した，第１の導波路２とは別の導波路であって，第１の導波路２と合波点４で合わさる第２の導波路５と，第２の導波路５に設けられたマッハツェンダー干渉計を有する第２の変調器６とを有する光変調システムに関する。
【００５５】
そして，第１の変調器３は，第１のメインマッハツェンダー導波路７ａと，第１のメインマッハツェンダー導波路７ａの一方のアームに設けられた第１のサブマッハツェンダー導波路８ａと，第１のメインマッハツェンダー導波路７ａの残りのアームに設けられた第２のサブマッハツェンダー導波路９ａとを有する。
【００５６】
第２の変調器６は，第２のメインマッハツェンダー導波路７ｂと，第２のメインマッハツェンダー導波路７ｂの一方のアームに設けられた第３のサブマッハツェンダー導波路８ｂと，第２のメインマッハツェンダー導波路７ｂの残りのアームに設けられた第４のサブマッハツェンダー導波路９ｂとを有する。
【００５７】
この第２の側面に関する光変調システムは，第１のサブマッハツェンダー導波路８ａ，第２のサブマッハツェンダー導波路９ａ，第３のサブマッハツェンダー導波路８ｂ，及び第４のサブマッハツェンダー導波路９ｂに印加する電圧を供給する電源系と，電源系に制御信号を与えることで，電源系が出力する電圧を変化させる，コンピュータを有する制御部と，合波点４からの出力を検出する検出部と，をさらに有する。
【００５８】
先に説明したとおり，第２の側面に関する光変調システムの基本構成は，サブマッハツェンダー導波路の後段に位相変調器が存在しない以外は，第１の側面に関する光変調システムの基本構成と同様である。
【００５９】
そして，制御部は，ディザリング信号指示手段と，バイアス掃引指令手段と，ディザリング関連信号抽出部と，最適バイアス電圧値取得手段とを有する。
【００６０】
第１の側面に係る光変調システムは，ディザリング信号を位相変調器に印加した。一方，第２の側面に係る光変調システムは，ディザリング信号をサブマッハツェンダー導波路にディザリング信号を印加する。具体的に説明すると，サブマッハツェンダー導波路のバイアス電極にディザリング信号を印加する。
【００６１】
すなわち，ディザリング信号指示手段は，第１のサブマッハツェンダー導波路８ａ，第２のサブマッハツェンダー導波路９ａ，第３のサブマッハツェンダー導波路８ｂ，及び第４のサブマッハツェンダー導波路９ｂの少なくとも１つにディザリング信号を印加するように電源系に指令を出す。
【００６２】
バイアス掃引指令手段は，ディザリング信号が印加されるサブマッハツェンダー導波路に印加するバイアス電圧を掃引するように電源系に指令を出す。制御部は，ディザリング信号を印加したサブマッハツェンダー導波路又はディザリング信号を印加するサブマッハツェンダー導波路に関する情報を記憶部に記憶する。そして，記憶部からそのサブマッハツェンダー導波路に関する情報を読み出して，そのサブマッハツェンダー導波路に関する情報に印加するバイアス電圧を掃引するように電源系に指令を出す。
【００６３】
ディザリング関連信号抽出部は，検出部が検出した検出情報から，ディザリング信号の２倍の周波数成分を抽出する。すなわち，制御部は，検出部と接続されている。検出部は，光変調システムの出力を検出できる。たとえば，制御部は，検出部を操作して，あらかじめディザリング信号の２倍の周波数成分を抽出するようにロックイン検波できるように設定されている。このため，制御部は，ディザリング信号の２倍の周波数成分を抽出できる。
【００６４】
最適バイアス電圧値取得手段は，ディザリング関連信号抽出部が抽出した，ディザリング信号の２倍の周波数成分が所定の範囲内となるバイアス電圧値を求める。すなわち，制御部の記憶装置は，閾値（上限及び下限）を記憶している。そして，制御部は，記憶装置に記憶した閾値を読み出す。その上で，制御部は，演算部に閾値と測定したディザリング信号の２倍の周波数成分とを比較させる。このようにして，制御部は，ディザリング信号の２倍の周波数成分が閾値との大小関係を判断する。
【００６５】
これにより，第２の側面に関する光変調システムは，第１のサブマッハツェンダー導波路８ａ，第２のサブマッハツェンダー導波路９ａ，第３のサブマッハツェンダー導波路８ｂ，及び第４のサブマッハツェンダー導波路９ｂのいずれかに印加されるバイアス電圧の最適値を求めることができる。
【００６６】
このバイアス電圧の最適化動作は，光変調システムの動作中に連続して行われ，バイアス電圧の最適化が自動的に行われても良い。
【００６７】
第２の側面に関する光変調システムの好ましい態様は，第１の変調器３が，４相位相シフトキーイングＱＰＳＫ信号を出力する第１のＱＰＳＫ変調器であり，第２の変調器６は，第１のＱＰＳＫ変調器からの出力信号よりも振幅が小さなＱＰＳＫ信号を出力する第２のＱＰＳＫ変調器６である。
【００６８】
第２の側面に関する光変調システムの好ましい態様は，第１の分岐部１から分岐した複数の導波路であって，第１の導波路２及び第２の導波路５以外のものであり，第１の導波路２及び第２の導波路５と合波点４で合わさる導波路と，複数の導波路に設けられたメインマッハツェンダー導波路と，メインマッハツェンダー導波路の一方のアームに設けられたサブマッハツェンダー導波路と，メインマッハツェンダー導波路の残りのアームに設けられたサブマッハツェンダー導波路と，を有する。そして，この光変調システムの電源系は，サブマッハツェンダー導波路のすべてに印加する電圧を供給する。そして，制御部のディザリング信号指示手段は，サブマッハツェンダー導波路の少なくとも１つにディザリング信号を印加するように電源系に指令を出す手段である。
【００６９】
本発明の第３の側面は，あるＭＺ干渉計にディザリング信号を入力した状態で，そのＭＺ干渉計を除くすべてのＭＺ干渉計に正弦波電気信号を入力する。なお，たとえば，振幅条件を２．４０５（(πＶｍ)／（２Ｖπ)＝２．４０５）とする。この値は，次数０の第一次ベッセル関数の零点である。この正弦波電気信号は，ディザリング信号と周波数が異なるものとする。これは，出力光からディザリング信号由来の成分を抽出するためである。本発明の第３の側面の光変調システムは，本発明の第１の側面及び本発明の第２の側面にかかる光変調システムを適宜調整したものであるから，同様の構成を採用し，同様に動作させることができる。
【００７０】
この条件の下では，キャリア成分の２乗値が，１次成分の２乗値又は−１次成分の２乗値よりずっと大きい。すると，オフセット成分は第１項（ｎ＝０）が支配的な成分といえる。
【００７１】
よって，バイアス電圧を調整し，オフセット成分が所定の範囲内となるようにθＤＣ（直流電圧Ｖ０）を調整することで，安定なバイアス状態を得ることができる。
【００７２】
本発明の第３の側面は，第１の分岐部１と，第１の分岐部１から分岐した第１の導波路２と，第１の導波路２に設けられたマッハツェンダー干渉計を有する第１の変調器３と，第１の分岐部１から分岐した，第１の導波路２とは別の導波路であって，第１の導波路２と合波点４で合わさる第２の導波路５と，第２の導波路５に設けられたマッハツェンダー干渉計を有する第２の変調器６とを有する光変調システムに関する。
【００７３】
第１の変調器３は，第１のメインマッハツェンダー導波路７ａと，第１のメインマッハツェンダー導波路７ａの一方のアームに設けられた第１のサブマッハツェンダー導波路８ａと，第１のメインマッハツェンダー導波路７ａの残りのアームに設けられた第２のサブマッハツェンダー導波路９ａとを有する。
【００７４】
第２の変調器６は，第２のメインマッハツェンダー導波路７ｂと，第２のメインマッハツェンダー導波路７ｂの一方のアームに設けられた第３のサブマッハツェンダー導波路８ｂと，第２のメインマッハツェンダー導波路７ｂの残りのアームに設けられた第４のサブマッハツェンダー導波路９ｂとを有する。
【００７５】
この光変調システムは，第１のサブマッハツェンダー導波路８ａ，第２のサブマッハツェンダー導波路９ａ，第３のサブマッハツェンダー導波路８ｂ，及び第４のサブマッハツェンダー導波路９ｂに印加する電圧を供給する電源系と，電源系に制御信号を与えることで，電源系が出力する電圧を変化させる，コンピュータを有する制御部と，合波点４からの出力を検出する検出部と，をさらに有する。
【００７６】
そして，制御部は，ディザリング信号指示手段と，正弦波電気信号指示手段と，バイアス掃引指令手段と，オフセット成分抽出部と，最適バイアス電圧値取得手段とを有する。
【００７７】
ディザリング信号指示手段は，第１のサブマッハツェンダー導波路８ａ，第２のサブマッハツェンダー導波路９ａ，第３のサブマッハツェンダー導波路８ｂ，及び第４のサブマッハツェンダー導波路９ｂの少なくとも１つにディザリング信号を印加するように電源系に指令を出す。
【００７８】
正弦波電気信号指示手段は，ディザリング信号指示手段と，ディザリング信号指示手段がディザリング信号を印加するように指示したサブマッハツェンダー導波路以外のすべてのサブマッハツェンダー導波路に正弦波電気信号を入力するように電源系に指令を出す。
【００７９】
この際，検出器が検出する光出力のキャリア成分（Ｊ０成分）が，ディザリング信号を印加したサブマッハツェンダー導波路に由来するもののみとなるように調整する。この調整は，検出器から測定結果を受け取った制御部が，各サブマッハツェンダー導波路に印加する正弦波電気信号を制御することで達成できる。
【００８０】
バイアス掃引指令手段は，ディザリング信号が印加されるサブマッハツェンダー導波路に印加するバイアス電圧を掃引するように電源系に指令を出す。
【００８１】
オフセット成分抽出部は，検出部が検出した検出情報からオフセット成分を抽出する。この条件において，オフセット成分は，ディザリング信号の強度が変化しても強度が変化しない成分である。ディザリング信号に由来する成分は，一定の周期をもって強度が変化する。このため，ディザリング信号の強度変化と異なる周波数で強度が変化する成分や強度が変化しない成分を抽出することで，オフセット成分を抽出することができる。
【００８２】
最適バイアス電圧値取得手段は，オフセット成分が所定の範囲内となるバイアス電圧値を求める。制御部は記憶装置を有しており，この記憶装置には閾値（上限および下限値）が記憶されている。制御部は，閾値を読み出して，演算部にオフセット成分と比較させる。
【００８３】
これにより，この光変調システムは，第１のサブマッハツェンダー導波路８ａ，第２のサブマッハツェンダー導波路９ａ，第３のサブマッハツェンダー導波路８ｂ，及び第４のサブマッハツェンダー導波路９ｂのいずれかに印加されるバイアス電圧の最適値を求めることができる。
【００８４】
第３の側面に関する光変調システムの好ましい態様は，第１の変調器３が，４相位相シフトキーイングＱＰＳＫ信号を出力する第１のＱＰＳＫ変調器であり，第２の変調器６は，第１のＱＰＳＫ変調器からの出力信号よりも振幅が小さなＱＰＳＫ信号を出力する第２のＱＰＳＫ変調器６である。
【００８５】
第３の側面に関する光変調システムの好ましい態様は，第１の分岐部１から分岐した複数の導波路であって，第１の導波路２及び第２の導波路５以外のものであり，第１の導波路２及び第２の導波路５と合波点４で合わさる導波路と，複数の導波路に設けられたメインマッハツェンダー導波路と，メインマッハツェンダー導波路の一方のアームに設けられたサブマッハツェンダー導波路と，メインマッハツェンダー導波路の残りのアームに設けられたサブマッハツェンダー導波路と，一方のサブマッハツェンダー導波路の合波部を経た光に位相変調を施すための位相変調器と，残りのサブマッハツェンダー導波路の合波部を経た光に位相変調を施すための位相変調器と，を有する。
【００８６】
そして電源系は，サブマッハツェンダー導波路のすべてに印加する電圧を供給するとともに，位相変調器のすべての印加する電圧を供給するものである。
【００８７】
制御部のディザリング信号指示手段は，位相変調器の少なくとも１つにディザリング信号を印加するように電源系に指令を出す手段である。
【００８８】
本発明の応用例
これまで，メインマッハツェンダー導波路の２つのアームにひとつのサブマッハツェンダー導波路が存在する光変調システムについて説明した。本発明は，メインマッハツェンダー導波路が複数のアームを有する光変調システムや，各アームに複数のサブマッハツェンダー導波路が設けられている光変調システムについても用いることができる。
【００８９】
図５は，第１の分岐部１から複数（Ｎ個）のアームに分岐しており，かつそれぞれのアームに複数（Ｍ個）のサブマッハツェンダー導波路が設けられている例である。この例では，ＭｘＮ個のサブマッハツェンダー導波路が存在する。
【００９０】
図６は，第１の分岐部１から複数（Ｎ個）のアームに分岐している。そして，各分岐したアームには，さらにＮ個のメインマッハツェンダー導波路と接続されている。そして，それぞれのメインマッハツェンダー導波路は，２つのアームを有している。そして，メインマッハツェンダー導波路の各アームは，Ｍ個のサブマッハツェンダー導波路が設けられている。
【００９１】
第１の側面に係る光変調システムは，図５においてＮ個のアームのそれぞれに位相変調器が設けられている。また，図６においては，２Ｎ個のアームのぞれぞれに位相変調器が設けられている。
【００９２】
並列変調器構造の１列（ＭＺ１，１〜ＭＺ１，Ｍ）を抽出して，第１の側面に基づくバイアス調整方法について説明する。さらに，以下の説明では，ｉ番目（ｉは，１〜Ｍ）のマッハツェンダー導波路のバイアス電圧を調整する場合を例にして説明する。
【００９３】
この場合，１列目に存在する位相変調器ＰＭ１にディザリング信号を印加する。そして，ディザリング信号による光出力の変動成分を観測する。光出力のディザリング信号由来の成分の変動が最大になるように，ＭＺ１，ｉ(ｉ：１〜Ｍ)全てのバイアス電圧を調整する。これは，i番目のＭＺ導波路を除いた、１〜ｎ番目のマッハツェンダー導波路のバイアス点が全て，ヌル点以外にあるようにするためである。一方，i番目のＭＺ導波路１〜ｋ（ｋ≦Ｍ）番目のＭＺＭのいずれかがヌル点にある場合，ＭＺ１，ｉのバイアス点がどの場合でも光出力の変動は小さくなる。
【００９４】
そして，ディザリング信号による光出力の変動成分を観測し，変動成分が最大，最小，又はそれらの中間値になるように，ＭＺ１，ｉのバイアス電圧を調整する。すると，ＭＺ１，ｉのバイアス点を，それぞれトップ，ボトム，クアドラチャに設定できる。
【００９５】
なお，図５及び図６に示す例では，最も合波部４よりのマッハツェンダー導波路（列の最後のＭＺＭ）の後段に位相変調器が設置される。この場合，この列に含まれるすべてのＭＺＭのバイアス電圧を調整できる。一方，ディザリング信号を印加する位相変調器は，列の中間位置（たとえば，ｋ番目とｋ＋１番目のＭＺＭの間）に存在しても良い。
【００９６】
次に，図５又は図６に示したシステムを第２の側面に用いる例を説明する。先に説明したとおり，本発明の第２の側面では，図５及び図６に描画されている位相変調器は不要である。
【００９７】
光出力のディザリング信号由来の成分の変動が最大になるように，ＭＺ１，ｉ(ｉ：１〜Ｍ)全てのバイアス電圧を調整する。これは，i番目のＭＺ導波路を除いた、１〜ｎ番目のマッハツェンダー導波路のバイアス点が全て，ヌル点以外にあるようにするためである。
【００９８】
その後，バイアス電圧を調整したいＭＺＭ（ＭＺ１，ｉ）にディザリング信号を印加する。そして，ディザリング信号の２倍の周波数成分を検波する。これにより，バイアス電圧を調整したいＭＺＭのバイアス電圧を調整することができる。
【００９９】
次に，図５又は図６に示したシステムを第３の側面に用いる例を説明する。先に説明したとおり，本発明の第３の側面では，図５及び図６に描画されている位相変調器は不要である。
【０１００】
光出力のディザリング信号由来の成分の変動が最大になるように，ＭＺ１，ｉ(ｉ：１〜Ｍ)全てのバイアス電圧を調整する。これは，i番目のＭＺ導波路を除いた、１〜ｎ番目のマッハツェンダー導波路のバイアス点が全て，ヌル点以外にあるようにするためである。
【０１０１】
そして，バイアス電圧を調整したいＭＺＭにディザリング信号を印加する。一方，ディザリング信号を印加していない同じ列に含まれるＭＺＭのそれぞれについて，各従属接続群から1つずつＭＺＭを選びそれらを大振幅電気信号で駆動する。たとえば，ＭＺ２ｎ，ＭＺ３ｎ，ＭＺ４ｎ，．．．を順に大振幅電気信号で駆動する。そして，ディザリング信号によらず一定となる光出力成分（オフセット）をモニタしながらバイアス電圧を調整する。このようにして，対象となるＭＺＭのバイアス電圧を調整することができる。
【０１０２】
(スライド４及び５頁)
次に，本発明の第４の側面に係るシステムの例を説明する。この例は，ＭＺＭの前段に位相変調器が設けられているものである。図７は，マッハツェンダー導波路の前段に位相変調器が設けられているシステムの例を示す概念図である。このシステムの基本構成は先に説明したシステムと同様であるので記載を引用することとして，繰り返しを省略する。
【０１０３】
このシステムは，各サブマッハツェンダー導波路の前段に位相変調器が設けられている。そして，各サブマッハツェンダー導波路にバイアス電圧を印加するための電極が設けられており，電源系が，任意のサブマッハツェンダー導波路のみにバイアス電圧を印加できるようにされている。
【０１０４】
このシステムは，たとえば，第１のサブマッハツェンダー導波路のバイアス電圧を調整する場合，第１のサブマッハツェンダー導波路の前段に位置する第１の位相変調器にディザリング信号を印加した状態で，第１のサブマッハツェンダー導波路のバイアス電圧を掃引することで，第１のサブマッハツェンダー導波路のバイアス電圧を調整できる。
【０１０５】
たとえば，このシステムは，まずバイアス電圧を調整する対象以外のいずれかのサブマッハツェンダー導波路をボトム以外の状態となるように調整することが好ましい。なお，通常は，少なくともいずれかのサブマッハツェンダー導波路のバイアス電圧はボトム以外であるから，特に特別な動作を要することなく上記の状態を得ることができる。
【０１０６】
その状態で，第１のサブマッハツェンダー導波路の前段に位置する第１の位相変調器にディザリング信号を印加しつつ，第１のサブマッハツェンダー導波路のバイアス電圧を印加すると，図３に示されるような出力が得られる。
【０１０７】
すなわち，出力信号から，ディザリング信号に由来する成分を抽出する。ディザリング信号に由来する成分は，ディザリング信号に起因する変動を伴っている。このため，出力信号から，そのような変動を伴う成分を分離，抽出することで，ディザリング信号に由来する成分をコンピュータ上で自動的に抽出できる。
【０１０８】
１のサブマッハツェンダー導波路のバイアス電圧を掃引しつつ，出力のうちディザリング信号に由来する成分の振幅強度を，バイアス電圧の値とともに記憶部に記憶する。そして，掃引作業が終わった後，記憶部に記憶した振幅強度を読みだして，振幅強度が最も低い場合のバイアス電圧の値を読みだす。このようにすれば，ある状態におけるバイアス電圧の最適値を得ることができる。すなわち，出力のうちディザリング信号に由来する成分の変動が最小となるようにバイアス電圧を設定することで，第１のサブマッハツェンダー導波路のバイアス電圧をボトム状態にすることができる。
【０１０９】
この考え方は，Ｎ個の並列したメインマッハツェンダー導波路を有するシステムであって，各メインマッハツェンダー導波路がＭ個のサブマッハツェンダー導波路を有する系に応用できる。すなわち，本発明は，少なくとも３つ以上のサブマッハツェンダー導波路を有するシステムにおいて好ましくバイアス調整を行うことができる。
【０１１０】
（スライド６頁）
次に，本発明の第５の側面に係るシステムの例を説明する。この例は，サブマッハツェンダー導波路の両アームに電極が設けられているものである。これらの電極には変調信号を印加できる。図８は，サブマッハツェンダー導波路の両アームに電極が設けられているシステムの例を示す概念図である。このシステムの基本構成は先に説明したシステムと同様であるので記載を引用することとして，繰り返しを省略する。
【０１１１】
このシステムにおいては，たとえば，第１のサブマッハツェンダー導波路のバイアス電圧を調整する場合，第１のサブマッハツェンダー導波路の両アームに位置する第１の電極及び第２の電極に同相のディザリング信号を印加する。このシステムは先に説明したと同様の調整方法を用いることで，第１のサブマッハツェンダー導波路のバイアス電圧をボトム状態にすることができる。
【０１１２】
(スライド７頁)
次に，本発明の第６の側面に係るシステムの例を説明する。この例は，サブマッハツェンダー導波路の両アームに変調信号を印加するための電極を有するものである。この例は，サブマッハツェンダー導波路の後段に位相変調器が設けられているものが好ましい。なお，このシステムでは，位相変調器が各サブマッハツェンダー導波路の前段に設けられているものでも同様に処理することができる。図９は，サブマッハツェンダー導波路の後段に位相変調器が設けられているシステムの例を示す概念図である。このシステムの基本構成は先に説明したシステムと同様であるので記載を引用することとして，繰り返しを省略する。
【０１１３】
このシステムは，サブマッハツェンダー導波路の両アームに変調信号を印加するための電極が設けられており，任意の電極に電圧を印加できるようにされている。また，このシステムは，任意の位相変調器に電圧を印加できるようにされている。図１０に示される通り，この例では各サブマッハツェンダー導波路の両アームに設けられた電極に直流電圧（Ｖ０）と，変調電圧（Ｖｍ）とを合わせた信号を印加できる。
【０１１４】
このシステムでは，バイアス調整に先立ち，それぞれのマッハツェンダー導波路におけるＶπの値を求めておくことが好ましい。マッハツェンダー導波路におけるＶπの値を求める方法はすでに知られている。このため，公知の方法に従って，マッハツェンダー導波路におけるＶπの値を求め記憶部に記憶し，適宜記憶部に記憶された値を読みだして演算処理に用いればよい。
【０１１５】
このシステムのバイアス電圧調整原理は，図１０に示すとおりである。このシステムは，たとえば，第１のサブマッハツェンダー導波路のバイアス電圧を調整する場合，第１のサブマッハツェンダー導波路の両アームの電極にそれぞれディザリング信号を印加する。この際，両アームに印加するディザリング信号をＶπの１／２０以上１／５以下（たとえば１／１０）となるように調整する。そして，両アームに印加されるディザリング信号の位相差を１８０°とする。出力を直接検波又は２乗検波する。この際，オフセット成分，ディザリング信号の角周波数に依存する成分，及びディザリング信号の２倍の角周波数に依存する成分は図１０に示される通りである。
【０１１６】
出力信号は，搬送波（キャリア信号），±１次成分が支配的となる。一方，直接検波により得られるディザリング信号の２倍の角周波数に依存する成分は，１次信号及び−１次信号間のビートが主な寄与成分である。すなわち，ディザリング信号の２倍の角周波数に依存する成分が最も大きくなるように，電極に印加する直流電圧を制御すればよい。  
【０１１７】
(スライド１０頁)
次に，本発明の第７の側面に係るシステムの例を説明する。この例は，サブマッハツェンダー導波路の両アームに変調信号を印加するための電極を有するものである。この例は，サブマッハツェンダー導波路の後段に位相変調器が設けられているものが好ましい。なお，このシステムでは，位相変調器が各サブマッハツェンダー導波路の前段に設けられているものでも同様に処理することができる。図９は，サブマッハツェンダー導波路の後段に位相変調器が設けられているシステムの例を示す概念図である。このシステムの基本構成は先に説明したシステムと同様であるので記載を引用することとして，繰り返しを省略する。
【０１１８】
このシステムは，サブマッハツェンダー導波路の両アームに変調信号を印加するための電極が設けられており，任意の電極に電圧を印加できるようにされている。また，このシステムは，任意の位相変調器に電圧を印加できるようにされている。それぞれのサブマッハツェンダー導波路の合波部の後段に設けられる位相変調器は，独立して駆動できるものでもよいし，プッシュプル動作するものであってもよい。
【０１１９】
このシステムでは，バイアス調整に先立ち，それぞれのマッハツェンダー導波路におけるＶπの値を求めておくことが好ましい。マッハツェンダー導波路におけるＶπの値を求める方法はすでに知られている。このため，公知の方法に従って，マッハツェンダー導波路におけるＶπの値を求め記憶部に記憶し，適宜記憶部に記憶された値を読みだして演算処理に用いればよい。
【０１２０】
このシステムにおいては，たとえば，第１のサブマッハツェンダー導波路のバイアス電圧を調整する場合，第１のサブマッハツェンダー導波路の両アームに位置する第１の電極及び第２の電極に同相のディザリング信号を印加する。この際，両アームに印加するディザリング信号をＶπの１／２０以上１／５以下（たとえば１／１０）となるように調整する。そして，第１のサブマッハツェンダー導波路以外の全てのマッハツェンダー導波路に正弦波電気信号を入力する。正弦波電気信号の周波数は，ディザリング信号の周波数と異なるものとする。この場合正弦波電気信号の周波数は，ディザリング信号の周波数の整数倍又は整数分の一とならないものが好ましい。また，正弦波電気信号の周波数と，ディザリング信号の周波数とはわずかだけ異なるものではないものが好ましい。そして，正弦波電気信号の振幅が，２．４０５（＝πＶＨ／２Ｖπ）程度となるように調整する。すると，システム全体からの出力のうちキャリア成分（Ｊ０成分）が，第１のサブマッハツェンダー導波路由来のもののみとなる。
【０１２１】
このため，光出力を直接検波し，ディザリング信号に対して不変な成分（オフセット成分）を評価する。オフセット成分が最も小さくなるように，直流電圧値（Ｖ０）を調整する。これにより，バイアス電圧を調整できる。
【０１２２】
光出力を直接検波するためには，たとえば大振幅正弦波の周波数を帯域として含まない光検出器（ＰＤ）を用いるか，光検出器の出力にフィルタを通して，大振幅正弦波成分を除いて検波をすればよい。
このシステムは先に説明したと同様の調整方法を用いることで，第１のサブマッハツェンダー導波路のバイアス電圧をボトム状態にすることができる。
【０１２３】
(スライド１２頁)
次に，本発明の第８の側面に係るシステムの例を説明する。この例は，サブマッハツェンダー導波路の両アームに変調信号を印加するための電極を有するものである。この例は，サブマッハツェンダー導波路の後段に位相変調器が設けられているものが好ましい。なお，このシステムでは，位相変調器が各サブマッハツェンダー導波路の前段に設けられているものでも同様に処理することができる。図９は，サブマッハツェンダー導波路の後段に位相変調器が設けられているシステムの例を示す概念図である。このシステムの基本構成は先に説明したシステムと同様であるので記載を引用することとして，繰り返しを省略する。
【０１２４】
このシステムは，ＰＭｎ−１とＰＭｎをとおる光の位相差（これらの位相変調器のバイアス電圧）を調整する。この調整方法は，このシステムは，たとえば，先に説明した方法に従って，各サブマッハツェンダー導波路のバイアスをヌルに設定した後に行うことが好ましい。なお，ＰＭｎ−１とＰＭｎとは１つのメインマッハツェンダー導波路に含まれる位相変調器であることが好ましい。
【０１２５】
このシステムは，サブマッハツェンダー導波路の両アームに変調信号を印加するための電極が設けられており，任意の電極に電圧を印加できるようにされている。また，このシステムは，任意の位相変調器に電圧を印加できるようにされている。それぞれのサブマッハツェンダー導波路の合波部の後段に設けられる位相変調器は，独立して駆動できるものでもよいし，プッシュプル動作するものであってもよい。
【０１２６】
このシステムは，たとえば，各サブマッハツェンダー導波路のバイアスをヌルに設定する。その後，調整対象となる位相変調器をＰＭｎ−１とＰＭｎとし，それぞれの位相変調器の前段に存在するサブマッハツェンダー導波路をＭＺｎ−１とＭＺｎとする。この場合，ＭＺｎ−１とＭＺｎとに同じ周波数のディザリング信号を印加し，光強度を変調する。この際印加電圧の電気振幅を各ＭＺのＶπ以下となるように設定する。なお，ＭＺｎ−１とＭＺｎとが両アームに電極を有する２電極型のマッハツェンダー導波路の場合には，各マッハツェンダー導波路の２つの電極に印加される２つディザリング信号を逆相とする。そのうえで，ＰＭｎ−１とＰＭｎに印加する電圧を変化（又は掃引）して，光出力の変化を観測する。
【０１２７】
ＭＺｎ−１とＭＺｎからの出力を合波したもののピークトゥーピーク値はＰＭｎ−１とＰＭｎをとおる光の位相差に依存する。
【０１２８】
このシステムは，図５に示されるシステムにも応用できる。さらに，各行に含まれるＭＺの数が同じ数（Ｍ個）でなくても，用いることができる。いずれの場合も，バイアス調整対象の列以外の列のバイアス電圧をボトムとし，バイアス調整対象の列のバイアス電圧をボトム以外とする。そのうえで，先に説明した調整方法を行うことで，たとえば，調整対象となる列間のバイアスをボトムになるように調整できる。
【０１２９】
このシステムは，図６に示されるシステムや複数段の入れ子型マッハツェンダー導波路の場合も同様に用いることができる。
【０１３０】
(スライド１７頁)
次に，本発明の第９の側面に係るシステムの例を説明する。この例は，サブマッハツェンダー導波路の両アームに変調信号を印加するための電極を有するものである。この例は，サブマッハツェンダー導波路の後段に位相変調器が設けられているものが好ましい。なお，このシステムでは，位相変調器が各サブマッハツェンダー導波路の前段に設けられているものでも同様に処理することができる。図９は，サブマッハツェンダー導波路の後段に位相変調器が設けられているシステムの例を示す概念図である。このシステムの基本構成は先に説明したシステムと同様であるので記載を引用することとして，繰り返しを省略する。
【０１３１】
このシステムは，ＰＭｎ−１とＰＭｎをとおる光の位相差（これらの位相変調器のバイアス電圧）を調整する。調整対象となる位相変調器をＰＭｎ−１とＰＭｎとし，それぞれの位相変調器の前段に存在するサブマッハツェンダー導波路をＭＺｎ−１とＭＺｎとする。ＰＭｎ−１とＰＭｎとは１つのメインマッハツェンダー導波路に含まれる位相変調器であることが好ましい。
【０１３２】
このシステムは，サブマッハツェンダー導波路の両アームに変調信号を印加するための電極が設けられており，任意の電極に電圧を印加できるようにされている。また，このシステムは，任意の位相変調器に電圧を印加できるようにされている。それぞれのサブマッハツェンダー導波路の合波部の後段に設けられる位相変調器は，独立して駆動できるものでもよいし，プッシュプル動作するものであってもよい。
【０１３３】
このシステムでは，バイアス調整に先立ち，それぞれのマッハツェンダー導波路におけるＶπの値を求めておくことが好ましい。マッハツェンダー導波路におけるＶπの値を求める方法はすでに知られている。このため，公知の方法に従って，マッハツェンダー導波路におけるＶπの値を求め記憶部に記憶し，適宜記憶部に記憶された値を読みだして演算処理に用いればよい。
【０１３４】
このシステムでは，ＭＺｎ−１とＭＺｎのバイアスがヌル点（ボトム）ではないように調整する。また，ＭＺｎ−１とＭＺｎ以外のサブマッハツェンダー導波路のバイアス状態は任意である。
【０１３５】
このシステムでは，ＭＺｎ−１とＭＺｎ以外のサブマッハツェンダー導波路に正弦波電気信号を印加する。この正弦波電気信号は，大振幅正弦波振動であることが好ましい。すなわち，正弦波電気信号の振幅が，２．４０５（＝πＶＨ／２Ｖπ）程度となるように調整する。ＰＭｎ−１とＰＭｎとのバイアス電圧を正弦波，三角波，のこぎり波，又はディザリング信号で掃引するか，又は直流電圧を用いて印加電圧を変化させる。システムからの出力を測定し，バイアス電圧に由来する成分のみを抽出する。このバイアス電圧に由来する成分は，印加した信号の周波数と連動して変化している成分なので，出力信号を周波数解析することで抽出することができる。
【０１３６】
このシステムのフェーザ表示及び光強度の関係は図１１に示される通りである。Ａｎは，ＭＺｎの光出力の振幅の絶対値である。このバイアス電圧に由来する成分が最大値となる地点が，バイアス電圧が同相であり，最小値となる地点が，バイアス電圧が逆相である。
【産業上の利用可能性】
【０１３７】
本発明は光情報通信の分野で利用されうる。
【符号の説明】
【０１３８】
１  第１の分岐部
２  第１の導波路
３  第１の変調器
４  合波点
５  第２の導波路
６  第２の変調器
７ａ  第１のメインマッハツェンダー導波路
７ｂ  第２のメインマッハツェンダー導波路
８ａ  第１のサブマッハツェンダー導波路
８ｂ  第３のサブマッハツェンダー導波路
９ａ  第２のサブマッハツェンダー導波路
９ｂ  第４のサブマッハツェンダー導波路
１０ａ  第１の位相変調器
１０ｂ  第３の位相変調器
１１ａ  第２の位相変調器
１１ｂ  第４の位相変調器
【図１】
2011197638.tif 000006
【図２】
2011197638.tif 000007
【図３】
2011197638.tif 000008
【図４】
2011197638.tif 000009
【図５】
2011197638.tif 000010
【図６】
2011197638.tif 000011
【図７】
2011197638.tif 000012
【図８】
2011197638.tif 000013
【図９】
2011197638.tif 000014
【図１０】
2011197638.tif 000015
【図１１】
2011197638.tif 000016